(57)【特許請求の範囲】
【請求項１】
無線通信のための方法であって、
１つまたは複数の装置のグループを識別する第１の情報と、
前記グループにおける前記装置の各々がチャネルの少なくとも１つの特性を決定すべきかどうかを示す第２の情報と
を備えるトレーニング・フレームを生成することと、
前記生成されたトレーニング・フレームを送信することと
を備え、前記トレーニング・フレームは、ヌル・データ・パケット（ＮＤＰ）を備える、方法。
【請求項２】
前記チャネルの少なくとも１つの特性は、チャネル状態情報（ＣＳＩ）を備える、請求項１に記載の方法。
【請求項３】
前記第１の情報は、前記ＮＤＰの信号フィールド・ビットを使用したグループ識別子を備える、請求項１に記載の方法。
【請求項４】
前記グループ識別子は、単一ユーザ送信を示し、前記第２の情報は、前記ＮＤＰの８ビットを使用した局（ＳＴＡ）識別子（ＩＤ）を備える、請求項３に記載の方法。
【請求項５】
前記トレーニング・フレームは、前記生成されたトレーニング・フレームを送信する装置の識別子（ＩＤ）を備える、請求項１に記載の方法。
【請求項６】
前記トレーニング・フレームは、シーケンス・ナンバーを備える、請求項１に記載の方法。
【請求項７】
無線通信のための装置であって、
１つまたは複数の装置のグループを識別する第１の情報と、
前記グループにおける前記装置の各々がチャネルの少なくとも１つの特性を決定すべきかどうかを示す第２の情報と
を備えるトレーニング・フレームを生成するように構成された処理システムと、
前記生成されたトレーニング・フレームを送信するように構成された送信機と
を備え、前記トレーニング・フレームは、ヌル・データ・パケット（ＮＤＰ）を備える、装置。
【請求項８】
前記チャネルの少なくとも１つの特性は、チャネル状態情報（ＣＳＩ）を備える、請求項７に記載の装置。
【請求項９】
前記第１の情報は、前記ＮＤＰの信号フィールド・ビットを使用したグループ識別子を備える、請求項７に記載の装置。
【請求項１０】
前記グループ識別子は、単一ユーザ送信を示し、前記第２の情報は、前記ＮＤＰの８ビットを使用した局（ＳＴＡ）識別子（ＩＤ）を備える、請求項９に記載の装置。
【請求項１１】
前記トレーニング・フレームは、前記装置の識別子（ＩＤ）を備える、請求項７に記載の装置。
【請求項１２】
前記トレーニング・フレームは、シーケンス・ナンバーを備える、請求項７に記載の装置。
【請求項１３】
無線通信のための装置であって、
１つまたは複数の装置のグループを識別する第１の情報と、
前記グループにおける前記装置の各々がチャネルの少なくとも１つの特性を決定すべきかどうかを示す第２の情報と
を備えるトレーニング・フレームを生成するための手段と、
前記生成されたトレーニング・フレームを送信するための手段と
を備え、前記トレーニング・フレームは、ヌル・データ・パケット（ＮＤＰ）を備える、装置。
【請求項１４】
前記チャネルの少なくとも１つの特性は、チャネル状態情報（ＣＳＩ）を備える、請求項１３に記載の装置。
【請求項１５】
前記第１の情報は、前記ＮＤＰの信号フィールド・ビットを使用したグループ識別子を備える、請求項１３に記載の装置。
【請求項１６】
前記グループ識別子は、単一ユーザ送信を示し、前記第２の情報は、前記ＮＤＰの８ビットを使用した局（ＳＴＡ）識別子（ＩＤ）を備える、請求項１５に記載の装置。
【請求項１７】
前記トレーニング・フレームは、前記装置の識別子（ＩＤ）を備える、請求項１３に記載の装置。
【請求項１８】
前記トレーニング・フレームは、シーケンス・ナンバーを備える、請求項１３に記載の装置。
【請求項１９】
無線通信のためのコンピュータ・プログラムであって、
１つまたは複数の装置のグループを識別する第１の情報と、
前記グループにおける前記装置の各々がチャネルの少なくとも１つの特性を決定すべきかどうかを示す第２の情報と
を備えるトレーニング・フレームを生成し、
前記生成されたトレーニング・フレームを送信する
ように実行可能な命令を備え、前記トレーニング・フレームは、ヌル・データ・パケット（ＮＤＰ）を備える、コンピュータ・プログラム。
【請求項２０】
アクセス・ポイントであって、
少なくとも１つのアンテナと、
１つまたは複数の装置のグループを識別する第１の情報と、
前記グループにおける前記装置の各々がチャネルの少なくとも１つの特性を決定すべきかどうかを示す第２の情報と
を備えるトレーニング・フレームを生成するように構成された処理システムと、
前記生成されたトレーニング・フレームを前記少なくとも１つのアンテナを介して送信するように構成された送信機と
を備え、前記トレーニング・フレームは、ヌル・データ・パケット（ＮＤＰ）を備える、アクセス・ポイント。
【発明の詳細な説明】
【関連出願の相互参照】
【０００１】
本願は、２０１０年７月７日に出願され、引用により本明細書に組み込まれる、米国仮特許出願番号第６１／３６１，９５２号（代理人整理番号：１０１９００Ｐ１）の権利を主張する。
【技術分野】
【０００２】
本開示のある特定の態様は、一般的に、無線通信に関し、より詳細には、マルチユーザ多入力多出力（ＭＵ−ＭＩＭＯ）伝送のためのチャネル状態情報（ＣＳＩ）フィードバック・プロトコルに関する。
【背景技術】
【０００３】
無線通信システムのために求められる増大する帯域幅要件の問題に対処するために、複数のユーザ端末に、チャネル・リソースの共有によって単一のアクセス・ポイントと通信することを可能にさせると同時に、高いデータ・スループットを実現する、種々のスキームが開発されている。多入力多出力（ＭＩＭＯ）技術は、次世代通信システムのための人気の高い技術として最近台頭してきたそのような１つのアプローチの代表である。ＭＩＭＯ技術は、米国電気電子学会（ＩＥＥＥ）８０２．１１規格といった、台頭しつつあるいくつかの無線通信規格に採用されてきた。ＩＥＥＥ８０２．１１は、ＩＥＥＥ８０２．１１委員会により（たとえば、数十メートルから数百メートルの）短距離通信用に開発された、無線ローカル・エリア・ネットワーク（ＷＬＡＮ）のエア・インターフェース規格のセットを表す。
【０００４】
ＭＩＭＯシステムは、データ伝送のために、複数（ＮＴ）個の送信アンテナと、複数（ＮＲ）個の受信アンテナとを用いる。ＮＴ個の送信アンテナとＮＲ個の受信アンテナとによって形成されたＭＩＭＯチャネルは、空間チャネルとも呼ばれるＮＳ個の独立チャネルに分解されることができ、ここで、ＮＳ≦ｍｉｎ｛ＮＴ，ＮＲ｝である。ＮＳ個の独立チャネルの各々は、次元に対応する。ＭＩＭＯシステムは、複数の送信アンテナおよび受信アンテナによって作り出された追加の次元が利用された場合、向上したパフォーマンス（たとえば、より高いスループット、および／またはより高い信頼性）を提供することができる。
【０００５】
単一のアクセス・ポイント（ＡＰ）と複数のユーザ局（ＳＴＡ）とを有する無線ネットワークでは、上りリンク方向と下りリンク方向の両方で、異なる局に対し、複数のチャネルで、同時送信が行われ得る。そのようなシステムには多くの課題が存在する。
【発明の概要】
【０００６】
本開示のある特定の態様は、一般的に、マルチユーザ多入力多出力（ＭＵ−ＭＩＭＯ）伝送のためのチャネル状態情報（ＣＳＩ）フィードバック・プロトコルに関する。
【０００７】
本開示のある特定の態様は、無線通信のための方法を提供する。この方法は一般的に、トレーニング・フレームを生成することと、生成されたトレーニング・フレームを送信することとを含む。該トレーニング・フレームは、通常、１つまたは複数の装置のグループを識別する第１の情報と、そのグループにおける装置の各々がチャネルの少なくとも１つの特性を決定すべきかどうかを示す第２の情報とを含む。
【０００８】
本開示のある特定の態様は、無線通信のための装置を提供する。この装置は一般的に、トレーニング・フレームを生成するように構成された処理システムと、生成されたトレーニング・フレームを送信するように構成された送信機とを含む。トレーニング・フレームは、通常、１つまたは複数の装置のグループを識別する第１の情報と、そのグループにおける装置の各々がチャネルの少なくとも１つの特性を決定すべきかどうかを示す第２の情報とを含む。
【０００９】
本開示のある特定の態様は、無線通信のための装置を提供する。この装置は一般的に、トレーニング・フレームを生成するための手段と、生成されたトレーニング・フレームを送信するための手段とを含む。トレーニング・フレームは、通常、１つまたは複数の装置のグループを識別する第１の情報と、そのグループにおける装置の各々がチャネルの少なくとも１つの特性を決定すべきかどうかを示す第２の情報とを含む。
【００１０】
本開示のある特定の態様は、無線通信のためのコンピュータ・プログラム製品を提供する。このコンピュータ・プログラム製品は一般的に、トレーニング・フレームを生成し、生成されたトレーニング・フレームを送信するように実行可能な命令を備えるコンピュータ読取可能な媒体を含む。トレーニング・フレームは、通常、１つまたは複数の装置のグループを識別する第１の情報と、そのグループにおける装置の各々がチャネルの少なくとも１つの特性を決定すべきかどうかを示す第２の情報とを含む。
【００１１】
本開示のある特定の態様は、アクセス・ポイントを提供する。このアクセス・ポイントは一般的に、少なくとも１つのアンテナと、トレーニング・フレームを生成するように構成された処理システムと、生成されたトレーニング・フレームを少なくとも１つのアンテナを介して送信するように構成された送信機とを含む。トレーニング・フレームは一般的に、１つまたは複数の装置のグループを識別する第１の情報と、そのグループにおける装置の各々がチャネルの少なくとも１つの特性を決定すべきかどうかを示す第２の情報とを含む。
【００１２】
本開示のある特定の態様は、無線通信のための方法を提供する。この方法は一般的に、装置において、１つまたは複数の装置のグループを識別する第１の情報と、そのグループにおける装置の各々がチャネルの少なくとも１つの特性を決定すべきかどうかを示す第２の情報と、を通常含むトレーニング・フレームを受信することと、第１の情報にしたがって、その装置が装置のグループ内にあるかどうかを決定することと、その装置が装置のグループ内にある場合、第２の情報に基づいてチャネルの少なくとも１つの特性を決定すべきかどうかを決めることとを含む。
【００１３】
本開示のある特定の態様は、無線通信のための装置を提供する。この装置は一般的に、受信機と処理システムとを含む。この受信機は、通常、１つまたは複数の装置のグループを識別する第１の情報と、そのグループにおける装置の各々がチャネルの少なくとも１つの特性を決定すべきかどうかを示す第２の情報と、を含むトレーニング・フレームを受信するように構成される。その処理システムは、通常、第１の情報にしたがって、その装置が装置のグループ内にあるかどうかを決定し、その装置が装置のグループ内にある場合、第２の情報に基づいてチャネルの少なくとも１つの特性を決定すべきかどうかを決めるように構成される。
【００１４】
本開示のある特定の態様は、無線通信のための装置を提供する。この装置は一般的に、１つまたは複数の装置のグループを識別する第１の情報と、そのグループにおける装置の各々がチャネルの少なくとも１つの特性を決定すべきかどうかを示す第２の情報と、を通常含むトレーニング・フレームを受信するための手段と、第１の情報にしたがって、その装置が装置のグループ内にあるかどうかを決定するための手段と、その装置が装置のグループ内にある場合、第２の情報に基づいてチャネルの少なくとも１つの特性を決定すべきかどうかを決めるための手段とを含む。
【００１５】
本開示のある特定の態様は、無線通信のためのコンピュータ・プログラム製品を提供する。このコンピュータ・プログラム製品は一般的に、装置において、１つまたは複数の装置のグループを識別する第１の情報と、そのグループにおける装置の各々がチャネルの少なくとも１つの特性を決定すべきかどうかを示す第２の情報と、を通常含むトレーニング・フレームを受信し、第１の情報にしたがって、その装置が装置のグループ内にあるかどうかを決定し、その装置が装置のグループ内にある場合、第２の情報に基づいてチャネルの少なくとも１つの特性を決定すべきかどうかを決めるように実行可能な命令を備えるコンピュータ読取可能な媒体を含む。
【００１６】
本開示のある特定の態様は、無線デバイスを提供する。この無線デバイスは一般的に、少なくとも１つのアンテナと、受信機と、処理システムとを含む。この受信機は、通常、１つまたは複数の装置のグループを識別する第１の情報と、そのグループにおける装置の各々がチャネルの少なくとも１つの特性を決定すべきかどうかを示す第２の情報と、を含むトレーニング・フレームを、少なくとも１つのアンテナを介して受信するように構成される。その処理システムは一般的に、第１の情報にしたがって、その無線デバイスが装置のグループ内にあるかどうかを決定し、その無線デバイスが装置のグループ内にある場合、第２の情報に基づいてチャネルの少なくとも１つの特性を決定すべきかどうかを決めるように構成される。
【００１７】
本開示のある特定の態様は、無線通信のための方法を提供する。この方法は一般的に、装置において、要求を受信することと、受信された要求に応答して、フレーム・アグリゲーションを使用してパケットを送信することとを含み、２つ以上のフレームが、単一のヘッダーを使用して単一の送信において送信される。
【００１８】
本開示のある特定の態様は、無線通信のための装置を提供する。この装置は一般的に、要求を受信するように構成された受信機と、受信された要求に応答して、フレーム・アグリゲーションを使用してパケットを送信するように構成された送信機とを含み、２つ以上のフレームが、単一のヘッダーを使用して単一の送信において送信される。
【００１９】
本開示のある特定の態様は、無線通信のための装置を提供する。この装置は一般的に、要求を受信するための手段と、受信された要求に応答して、フレーム・アグリゲーションを使用してパケットを送信するための手段とを含み、２つ以上のフレームが、単一のヘッダーを使用して単一の送信において送信される。
【００２０】
本開示のある特定の態様は、無線通信のためのコンピュータ・プログラム製品を提供する。このコンピュータ・プログラム製品は一般的に、装置において、要求を受信し、受信された要求に応答して、フレーム・アグリゲーションを使用してパケットを送信するように実行可能な命令を備えるコンピュータ読取可能な媒体を含み、２つ以上のフレームが、単一のヘッダーを使用して単一の送信において送信される。
【００２１】
本開示のある特定の態様は、無線デバイスを提供する。この無線デバイスは一般的に、少なくとも１つのアンテナと、この少なくとも１つのアンテナを介して要求を受信するように構成された受信機と、受信された要求に応答して、フレーム・アグリゲーションを使用してパケットを送信するように構成された送信機とを含み、２つ以上のフレームが、単一のヘッダーを使用して単一の送信において送信される。
【００２２】
本開示のある特定の態様は、無線通信のための方法を提供する。この方法は一般的に、要求を送信することと、送信された要求に応答して、フレーム・アグリゲーションを用いたパケットを受信することとを含み、２つ以上のフレームが、単一のヘッダーを使用して単一の送信において送信される。
【００２３】
本開示のある特定の態様は、無線通信のための装置を提供する。この装置は一般的に、要求を送信するように構成された送信機と、送信された要求に応答して、フレーム・アグリゲーションを用いたパケットを受信するように構成された受信機とを含み、２つ以上のフレームが、単一のヘッダーを使用して単一の送信において送信される。
【００２４】
本開示のある特定の態様は、無線通信のための装置を提供する。この装置は一般的に、要求を送信するための手段と、送信された要求に応答して、フレーム・アグリゲーションを用いたパケットを受信するための手段とを含み、２つ以上のフレームが、単一のヘッダーを使用して単一の送信において送信される。
【００２５】
本開示のある特定の態様は、無線通信のためのコンピュータ・プログラム製品を提供する。このコンピュータ・プログラム製品は一般的に、要求を送信し、送信された要求に応答して、フレーム・アグリゲーションを用いたパケットを受信するように実行可能な命令を備えるコンピュータ読取可能な媒体を含み、２つ以上のフレームが、単一のヘッダーを使用して単一の送信において送信される。
【００２６】
本開示のある特定の態様は、アクセス・ポイントを提供する。このアクセス・ポイントは一般的に、少なくとも１つのアンテナと、この少なくとも１つのアンテナを介して要求を送信するように構成された送信機と、送信された要求に応答して、フレーム・アグリゲーションを用いたパケットを受信するように構成された受信機とを含み、２つ以上のフレームが、単一のヘッダーを使用して単一の送信において送信される。
【００２７】
本開示のある特定の態様は、無線通信のための方法を提供する。この方法は一般的に、装置に対し、チャネルの少なくとも１つの特性を送信するようにとの第１の要求を送信することと、送信された第１の要求に応答して、その装置からパケットを受信することと、その装置に対し、チャネルの少なくとも１つの特性を送信するようにとの第２の要求を送信することとを含み、この第２の要求は、パケットが受信されたことを示す肯定応答（ＡＣＫ）を備える。
【００２８】
本開示のある特定の態様は、無線通信のための装置を提供する。この装置は一般的に、別の装置に対し、チャネルの少なくとも１つの特性を送信するようにとの第１の要求を送信するように構成された送信機と、送信された第１の要求に応答して、該別の装置からパケットを受信するように構成された受信機とを含み、その送信機は、該別の装置に対し、チャネルの少なくとも１つの特性を送信するようにとの第２の要求を送信するように構成され、この第２の要求は、パケットが受信されたことを示す肯定応答（ＡＣＫ）を備える。
【００２９】
本開示のある特定の態様は、無線通信のための装置を提供する。この装置は一般的に、別の装置に対し、チャネルの少なくとも１つの特性を送信するようにとの第１の要求を送信するための手段と、送信された第１の要求に応答して、該別の装置からパケットを受信するための手段とを含み、送信するための手段は、該別の装置に対し、チャネルの少なくとも１つの特性を送信するようにとの第２の要求を送信するように構成され、この第２の要求は、パケットが受信されたことを示す肯定応答（ＡＣＫ）を備える。
【００３０】
本開示のある特定の態様は、無線通信のためのコンピュータ・プログラム製品を提供する。このコンピュータ・プログラム製品は一般的に、装置に対し、チャネルの少なくとも１つの特性を送信するようにとの第１の要求を送信し、送信された第１の要求に応答して、その装置からパケットを受信し、その装置に対し、チャネルの少なくとも１つの特性を送信するようにとの第２の要求を送信するように実行可能な命令を備えるコンピュータ読取可能な媒体を含み、この第２の要求は、パケットが受信されたことを示す肯定応答（ＡＣＫ）を備える。
【００３１】
本開示のある特定の態様は、アクセス・ポイントを提供する。このアクセス・ポイントは一般的に、少なくとも１つのアンテナと、この少なくとも１つのアンテナを介して、装置に対し、チャネルの少なくとも１つの特性を送信するようにとの第１の要求を送信するように構成された送信機と、送信された第１の要求に応答して、その装置からパケットを受信するように構成された受信機とを含み、その送信機は、その装置に対し、チャネルの少なくとも１つの特性を送信するようにとの第２の要求を送信するように構成され、この第２の要求は、パケットが受信されたことを示す肯定応答（ＡＣＫ）を備える。
【００３２】
本開示のある特定の態様は、無線通信のための方法を提供する。この方法は一般的に、チャネルの少なくとも１つの特性を送信するようにとの第１の要求を受信することと、受信された第１の要求に応答してパケットを送信することと、チャネルの少なくとも１つの特性を送信するようにとの第２の要求を受信することとを含み、この第２の要求は、パケットが装置によって受信されたことを示す肯定応答（ＡＣＫ）を備える。
【００３３】
本開示のある特定の態様は、無線通信のための装置を提供する。この装置は一般的に、チャネルの少なくとも１つの特性を送信するようにとの第１の要求を受信するように構成された受信機と、受信された第１の要求に応答してパケットを送信するように構成された送信機とを含み、その受信機は、チャネルの少なくとも１つの特性を送信するようにとの第２の要求を受信するように構成され、この第２の要求は、パケットが別の装置によって受信されたことを示す肯定応答（ＡＣＫ）を備える。
【００３４】
本開示のある特定の態様は、無線通信のための装置を提供する。この装置は一般的に、チャネルの少なくとも１つの特性を送信するようにとの第１の要求を受信するための手段と、受信された第１の要求に応答してパケットを送信するための手段とを含み、受信するための手段は、チャネルの少なくとも１つの特性を送信するようにとの第２の要求を受信するように構成され、この第２の要求は、パケットが別の装置によって受信されたことを示す肯定応答（ＡＣＫ）を備える。
【００３５】
本開示のある特定の態様は、無線通信のためのコンピュータ・プログラム製品を提供する。このコンピュータ・プログラム製品は一般的に、チャネルの少なくとも１つの特性を送信するようにとの第１の要求を受信し、受信された第１の要求に応答してパケットを送信し、チャネルの少なくとも１つの特性を送信するようにとの第２の要求を受信するように実行可能な命令を備えるコンピュータ読取可能な媒体を含み、この第２の要求は、パケットが装置によって受信されたことを示す肯定応答（ＡＣＫ）を備える。
【００３６】
本開示のある特定の態様は、無線デバイスを提供する。この無線デバイスは一般的に、少なくとも１つのアンテナと、この少なくとも１つのアンテナを介して、チャネルの少なくとも１つの特性を送信するようにとの第１の要求を受信するように構成された受信機と、受信された第１の要求に応答してパケットを送信するように構成された送信機とを含み、その受信機は、チャネルの少なくとも１つの特性を送信するようにとの第２の要求を受信するように構成され、この第２の要求は、パケットが装置によって受信されたことを示す肯定応答（ＡＣＫ）を備える。
【００３７】
上述された本開示の特徴が詳細に理解され得るように、上では簡潔に概要が述べられた、より詳細な説明が、諸態様に関連して記載されることができ、その態様のいくつかは、添付の図面に示されている。しかしながら、添付の図面は、この開示のある特定の典型的な態様のみを示すものであり、したがって、その範囲を限定するものと見なされるべきではないことに注意すべきである。というのも、この説明は、同様に効果的な他の態様にも認められ得るものだからである。
【図面の簡単な説明】
【００３８】
【図１】図１は、本開示のある特定の態様に係る無線通信ネットワークの図である。
【図２】図２は、本開示のある特定の態様に係る、例示的なアクセス・ポイントおよびユーザ端末のブロック図である。
【図３】図３は、本開示のある特定の態様に係る、例示的な無線デバイスのブロック図である。
【図４】図４は、本開示のある特定の態様に係る、マルチユーザ多入力多出力（ＭＵ−ＭＩＭＯ）のための、例示的なチャネル状態情報（ＣＳＩ）フィードバック・プロトコル・シーケンスを示す図である。
【図５】図５は、本開示のある特定の態様に係る、ＭＵ−ＭＩＭＯのための例示的なシーケンシャルＣＳＩフィードバック・プロトコル・シーケンスを示す図である。
【図６】図６は、本開示のある特定の態様に係る、チャネルの少なくとも１つの特性を決定しようとしてトレーニング・フレームを送信するためにアクセス・ポイント（ＡＰ）において実行され得る例示的な動作を示す図である。
【図６Ａ】図６Ａは、図６に示した動作を実行することができる例示的な手段を示す図である。
【図７】図７は、本開示のある特定の態様に係る、トレーニング・フレームにおいて受信された情報に基づいてチャネルの少なくとも１つの特性を決定すべきかどうかを決めるために局（ＳＴＡ）において実行され得る例示的な動作を示す図である。
【図７Ａ】図７Ａは、図７に示した動作を実行することができる例示的な手段を示す図である。
【図８】図８は、本開示のある特定の態様に係る、フレーム・アグリゲーションを使用してパケットを送信することによって要求に応答するためにＳＴＡにおいて実行され得る例示的な動作を示す図である。
【図８Ａ】図８Ａは、図８に示した動作を実行することができる例示的な手段を示す図である。
【図９】図９は、本開示のある特定の態様に係る、送信された要求に応答して、フレーム・アグリゲーションを用いたパケットを受信するために、ＡＰにおいて実行され得る例示的な動作を示す図である。
【図９Ａ】図９Ａは、図９に示した動作を実行することができる例示的な手段を示す図である。
【図１０】図１０は、本開示のある特定の態様に係る、以前に送信された要求において受信されたパケットの肯定応答（ＡＣＫ）を伴った、チャネルの少なくとも１つの特性を送信するようにとの要求を送信するために、ＡＰにおいて実行され得る例示的な動作を示す図である。
【図１０Ａ】図１０Ａは、図１０に示した動作を実行することができる例示的な手段を示す図である。
【図１１】図１１は、本開示のある特定の態様に係る、以前に受信された要求において送信されたパケットのＡＣＫを伴った、チャネルの少なくとも１つの特性を送信するようにとの要求を受信するために、ＳＴＡにおいて実行され得る例示的な動作を示す図である。
【図１１Ａ】図１１Ａは、図１１に示した動作を実行することができる例示的な手段を示す図である。
【詳細な説明】
【００３９】
下記において、本開示のさまざまな態様が、添付の図面に関連してより詳細に説明される。しかしながら、本開示は、多くの異なる形態で具現化されることができ、この開示全体を通して提示されるいずれか特定の構成または機能に限定されるものと解釈されるべきではない。そうではなく、これらの態様は、この開示を綿密かつ完全なものとし、この開示によって本開示の範囲が当業者に十分に伝わるように、提供されるものである。本明細書における教示に基づき、当業者は、ここに開示されたいずれの態様も、それらが本開示の他の態様から独立して実施されるか、または他の態様と組み合わされて実施されるかにかかわらず、本開示の範囲が、それらの態様をカバーすることを意図している、ということを理解すべきである。たとえば、ここに説明される任意の数の態様を使用して、装置が実現されることができ、方法が実施されることができる。さらに、本開示の範囲は、他の構成、機能、または、ここに説明された開示のさまざまな態様に加えた構成および機能、もしくはそれらの態様以外の構成および機能を使用して実現された、装置または方法をカバーすることを意図している。ここに開示された開示の任意の態様は、請求項に記載された１つまたは複数のエレメントによって具現化され得ることが理解されるべきである。
【００４０】
「例示的」という用語は、本明細書では、「例、事例、または実例としての役割を果たす」という意味で用いられる。「例示的」なものとしてここに説明される任意の態様は、必ずしも、他の態様よりも好ましい、または有利なものと解釈されるべきではない。
【００４１】
特定の態様がここに説明されるが、これらの態様の多くの変形および置換が、本開示の範囲内に含まれる。好ましい態様のいくつかの利益および利点が説明されるが、本開示の範囲は、特定の利益、使用、または目的に限定されることを意図しない。むしろ、本開示の態様は、異なる無線技術、システム構成、ネットワーク、および伝送プロトコルに広く適用可能であることが意図され、そのうちのいくつかが、好ましい態様の下記の説明および図面において、例として示される。詳細な説明および図面は、限定ではなく、単に開示を例示するものにすぎず、本開示の範囲は、添付の特許請求の範囲およびその同等物によって定義される。
【００４２】
無線通信システムの例
本明細書に説明される技術は、直交多重化スキームに基づいた通信システムを含む、さまざまなブロードバンド無線通信システムのために使用されることができる。そのような通信システムの例には、空間分割多元接続（ＳＤＭＡ）、時分割多元接続（ＴＤＭＡ）、直交周波数分割多元接続（ＯＦＤＭＡ）システム、シングル・キャリア周波数分割多元接続（ＳＣ−ＦＤＭＡ）システム、等が含まれる。ＳＤＭＡシステムは、十分に異なる方向を利用して、複数のユーザ端末に属するデータを同時に送信することができる。ＴＤＭＡシステムは、異なるタイム・スロットへと送信信号を分割することによって複数のユーザ端末が同一の周波数チャネルを共有することを可能にすることができ、各タイム・スロットは異なるユーザ端末に割り当てられている。ＯＦＤＭＡシステムは、全システム帯域幅を複数の直交サブキャリアに分割する変調技術である、直交周波数分割多重化（ＯＦＤＭ）を利用する。これらサブキャリアは、トーン、ビン、等とも呼ばれ得る。ＯＦＤＭでは、各サブキャリアがデータによって独立して変調されることができる。ＳＣ−ＦＤＭＡシステムは、インターリーブドＦＤＭＡ（ＩＦＤＭＡ）を利用して、システム帯域幅にわたって分散したサブキャリアで送信し、ローカライズドＦＤＭＡ（ＬＦＤＭＡ）を利用して、複数の隣接サブキャリアの１つのブロックで送信し、または、エンハンストＦＤＭＡ（ＥＦＤＭＡ）を利用して、複数の隣接サブキャリアの複数のブロックで送信することができる。一般的に、変調シンボルは、ＯＦＤＭでは周波数領域において、ＳＣ−ＦＤＭＡでは時間領域において送信される。
【００４３】
本明細書における教示は、さまざまな有線装置または無線装置（たとえば、ノード）に組み込まれ得る（たとえば、それらの中で実現される、またはそれらによって実施される）。いくつかの態様では、本明細書における教示にしたがって実現された無線ノードは、アクセス・ポイントまたはアクセス端末を備え得る。
【００４４】
アクセス・ポイント（「ＡＰ」）は、ノードＢ、無線ネットワーク制御装置（「ＲＮＣ」）、発展型ノードＢ（ｅＮＢ）、基地局制御装置（「ＢＳＣ」）、基地トランシーバ局（「ＢＴＳ」）、基地局（「ＢＳ」）、トランシーバ機能（「ＴＦ」）、無線ルータ、無線トランシーバ、基本サービス・セット（「ＢＳＳ」）、拡張サービス・セット（「ＥＳＳ」）、無線基地局（「ＲＢＳ」）、または他の何らかの用語を備えることができ、これらとして実現されることができ、または、これらとして知られる。
【００４５】
アクセス端末（「ＡＴ」）は、アクセス端末、加入者局、加入者ユニット、移動局、リモート局、リモート端末、ユーザ端末、ユーザ・エージェント、ユーザ・デバイス、ユーザ機器、ユーザ局、または他の何らかの用語を備えることができ、これらとして実現されることができ、または、これらとして知られる。いくつかの実施形態において、アクセス端末は、セルラー電話、コードレス電話、セッション開始プロトコル（「ＳＩＰ」）電話、無線ローカル・ループ（「ＷＬＬ」）局、携帯情報端末（「ＰＤＡ」）、無線接続機能を有するハンドヘルド・デバイス、局（「ＳＴＡ」）、または無線モデムに接続された他の何らかの適切な処理デバイスを備え得る。したがって、本明細書で教示される１つまたは複数の態様は、電話（たとえば、セルラー電話またはスマートフォン）、コンピュータ（たとえば、ラップトップ）、携帯通信デバイス、携帯コンピューティング・デバイス（たとえば、携帯情報端末）、エンターテイメント・デバイス（たとえば、音楽または映像デバイス、または衛星ラジオ）、全地球測位システム・デバイス、または、有線媒体または無線媒体を介して通信するように構成された任意の他の適切なデバイスに組み込まれることができる。いくつかの態様では、ノードは無線ノードである。そのような無線ノードは、たとえば、有線または無線通信リンクを介して、ネットワーク（たとえば、インターネットまたはセルラー・ネットワークのような広域ネットワーク）のための接続、またはそのようなネットワークへの接続を提供することができる。
【００４６】
図１は、アクセス・ポイントとユーザ端末とを有する多元接続多入力多出力（ＭＩＭＯ）システム１００を示す。簡潔にするために、図１には１つのアクセス・ポイント１１０だけが示されている。アクセス・ポイントは、一般的に、ユーザ端末と通信する固定局であり、基地局または他の何らかの用語でも呼ばれ得る。ユーザ端末は、固定または可動であることができ、移動局、無線デバイス、または他の何らかの用語でも呼ばれ得る。アクセス・ポイント１１０は、下りリンクおよび上りリンクで、任意の所与の瞬間に１つまたは複数のユーザ端末１２０と通信することができる。下りリンク（すなわち、フォワード・リンク）は、アクセス・ポイントからユーザ端末への通信リンクであり、上りリンク（すなわち、リバース・リンク）は、ユーザ端末からアクセス・ポイントへの通信リンクである。ユーザ端末は、別のユーザ端末とピア・ツー・ピアで通信することもできる。システム制御装置１３０が、アクセス・ポイントに結合し、アクセス・ポイントのために調整および制御を提供する。
【００４７】
下記の開示の一部では、空間分割多元接続（ＳＤＭＡ）によって通信することができるユーザ端末１２０が説明されるが、ある特定の態様では、ユーザ端末１２０はまた、ＳＤＭＡをサポートしないいくつかのユーザ端末も含み得る。したがって、そのような態様では、ＡＰ１１０は、ＳＤＭＡユーザ端末と非ＳＤＭＡユーザ端末の両方と通信するように構成されることができる。このアプローチは、好都合には、より古いバージョンのユーザ端末（「レガシー」局）が事業展開され続けることを可能にし、それらの有用期間を伸ばしながら、より新しいＳＤＭＡユーザ端末が適切であるとみなされて導入されることを可能にすることができる。
【００４８】
システム１００は、下りリンクおよび上りリンクでのデータ伝送のために、複数の送信アンテナおよび複数の受信アンテナを用いる。アクセス・ポイント１１０は、Ｎａｐ個のアンテナを備え、下りリンク伝送のための多入力（ＭＩ）と、上りリンク伝送のための多出力（ＭＯ）とを表す。選択されたＫ個のユーザ端末１２０のセットは、集合的に、下りリンク伝送のための多出力と、上りリンク伝送のための多入力とを表す。純粋なＳＤＭＡでは、Ｋ個のユーザ端末のためのデータ・シンボル・ストリームが何らかの手段によって符号、周波数、または時間において多重化されない場合、Ｎａｐ≧Ｋ≧１を有することが望まれ、データ・シンボル・ストリームがＴＤＭＡ技術、ＣＤＭＡでは異なる符号チャネル、ＯＦＤＭではサブバンドの互いに素な集合、等を使用して多重化され得る場合、Ｋは、Ｎａｐよりも大きくなり得る。選択された各ユーザ端末は、アクセス・ポイントにユーザ固有のデータを送信し、および／またはアクセス・ポイントからユーザ固有のデータを受信する。一般的に、選択された各ユーザ端末は、１つまたは複数（すなわち、Ｎｕｔ≧１）のアンテナを装備し得る。選択されたＫ個のユーザ端末は、同数のまたは異なる数のアンテナを有し得る。
【００４９】
ＭＩＭＯシステム１００は、時分割複信（ＴＤＤ）システムまたは周波数分割複信（ＦＤＤ）システムであることができる。ＴＤＤシステムでは、下りリンクと上りリンクは、同一の周波数帯域を共用する。ＦＤＤシステムでは、下りリンクと上りリンクは、異なる周波数帯域を使用する。ＭＩＭＯシステム１００はまた、伝送のために単一のキャリアまたは複数のキャリアを利用することができる。各ユーザ端末は、（たとえば、コストを低く抑えるために）単一のアンテナを備えることができ、または（たとえば、追加的なコストがサポートされ得る場合には）複数のアンテナを備えることができる。システム１００は、また、ユーザ端末１２０が、異なる複数のタイム・スロットへと送信／受信を分割することによって同一の周波数チャネルを共用し、各タイム・スロットが異なるユーザ端末１２０に割り当てられる場合、ＴＤＭＡシステムであることもできる。
【００５０】
図２は、ＭＩＭＯシステム１００における、アクセス・ポイント１１０、および２つのユーザ端末１２０ｍ、１２０ｘのブロック図を示している。アクセス・ポイント１１０は、Ｎａｐ 個のアンテナ２２４ａ〜２２４ａｐ を備える。ユーザ端末１２０ｍは、Ｎｕｔ，ｍ 個のアンテナ２５２ｍａ〜２５２ｍｕを備え、ユーザ端末１２０ｘは、Ｎｕｔ，ｘ 個のアンテナ２５２ｘａ〜２５２ｘｕを備える。アクセス・ポイント１１０は、下りリンクでは送信エンティティであり、上りリンクでは受信エンティティである。各ユーザ端末１２０は、上りリンクでは送信エンティティであり、下りリンクでは受信エンティティである。本明細書で使用される場合、「送信エンティティ」は、無線チャネルを介してデータを送信することができる、独立して動作する装置またはデバイスであり、「受信エンティティ」は、無線チャネルを介してデータを受信することができる、独立して動作する装置またはデバイスである。下記の説明では、下付きの文字「ｄｎ」は下りリンクを表し、下付きの文字「ｕｐ」は上りリンクを表し、Ｎｕｐ 個のユーザ端末が、上りリンクでの同時送信のために選択され、Ｎｄｎ 個のユーザ端末が、下りリンクでの同時送信のために選択されるが、Ｎｕｐ は、Ｎｄｎ と等しいこともでき、または等しくないこともでき、Ｎｕｐ とＮｄｎ は、静的な値であることもでき、またはスケジューリング間隔ごとに変化することもできる。ビーム・ステアリングまたは他の何らかの空間処理技術が、アクセス・ポイントおよびユーザ端末において使用されることができる。
【００５１】
上りリンクでは、上りリンク送信のために選択された各ユーザ端末１２０において、ＴＸデータ・プロセッサ２８８が、データ・ソース２８６からトラヒック・データを受け取り、制御装置２８０から制御データを受け取る。ＴＸデータ・プロセッサ２８８は、そのユーザ端末のために選択されたレートに関連づけられたコーディングおよび変調スキームに基づいて、そのユーザ端末についてトラヒック・データを処理（たとえば、符号化、インターリーブ、変調）し、データ・シンボル・ストリームを提供する。ＴＸ空間プロセッサ２９０が、そのデータ・シンボル・ストリームに空間処理を実行し、Ｎｕｔ，ｍ個のアンテナのためのＮｕｔ，ｍ個の送信シンボル・ストリームを提供する。各送信機ユニット（ＴＭＴＲ）２５４が、それぞれの送信シンボル・ストリームを受け取って処理（たとえば、アナログ変換、増幅、フィルタリング、周波数アップコンバート）して、上りリンク信号を生成する。Ｎｕｔ，ｍ個の送信機ユニット２５４は、Ｎｕｔ，ｍ個のアンテナ２５２からアクセス・ポイントへと送信するための、Ｎｕｔ，ｍ個の上りリンク信号を提供する。
【００５２】
Ｎｕｐ個のユーザ端末が、上りリンクでの同時送信のためにスケジューリングされることができる。これらのユーザ端末の各々が、そのデータ・シンボル・ストリームに空間処理を実行し、その送信シンボル・ストリームのセットを、上りリンクでアクセス・ポイントへと送信する。
【００５３】
アクセス・ポイント１１０では、Ｎａｐ個のアンテナ２２４ａ〜２２４ａｐが、上りリンクで送信しているＮｕｐ個のユーザ端末すべてからの上りリンク信号を受信する。各アンテナ２２４は、受信した信号をそれぞれの受信機ユニット（ＲＣＶＲ）２２２に提供する。各受信機ユニット２２２は、送信機ユニット２５４によって実行された処理と相補的な処理を実行し、受信シンボル・ストリームを提供する。ＲＸ空間プロセッサ２４０は、Ｎａｐ個の受信機ユニット２２２からのＮａｐ個の受信シンボル・ストリームに、受信機空間処理を実行し、復元されたＮｕｐ個の上りリンク・データ・シンボル・ストリームを提供する。受信機空間処理は、チャネル相関マトリクス反転（ＣＣＭＩ）、最小平均二乗誤差（ＭＭＳＥ）、ソフト干渉除去（ＳＩＣ）、または他の何らかの技術にしたがって実行される。復元された各々の上りリンク・データ・シンボル・ストリームは、それぞれのユーザ端末によって送信されたデータ・シンボル・ストリームの推定である。ＲＸデータ・プロセッサ２４２が、復元された各々の上りリンク・データ・シンボル・ストリームを、そのストリームのために使用されたレートにしたがって処理（たとえば、復調、デインターリーブ、復号）して、復号されたデータを得る。各ユーザ端末のための復号されたデータが、記憶のためにデータ・シンク２４４に、および／または、さらなる処理のために制御装置２３０に、提供されることができる。
【００５４】
下りリンクでは、アクセス・ポイント１１０において、ＴＸデータ・プロセッサ２１０が、データ・ソース２０８から、下りリンク送信のためにスケジューリングされたＮｄｎ個のユーザ端末のためのトラヒック・データを受け取り、制御装置２３０から制御データを受け取り、場合によってはスケジューラ２３４から他のデータを受け取る。これらさまざまなタイプのデータは、異なるトランスポート・チャネルで送信され得る。ＴＸデータ・プロセッサ２１０は、各ユーザ端末のためのトラヒック・データを、そのユーザ端末のために選択されたレートに基づいて処理（たとえば、符号化、インターリーブ、変調）する。ＴＸデータ・プロセッサ２１０は、Ｎｄｎ個のユーザ端末のための、Ｎｄｎ個の下りリンク・データ・シンボル・ストリームを提供する。ＴＸ空間プロセッサ２２０が、Ｎｄｎ個の下りリンク・データ・シンボル・ストリームに、空間処理（たとえば、本開示において説明されるプリコーディングまたはビームフォーミングなど）を実行し、Ｎａｐ個のアンテナのためのＮａｐ個の送信シンボル・ストリームを提供する。各送信機ユニット２２２は、それぞれの送信シンボル・ストリームを受け取って処理し、下りリンク信号を生成する。Ｎａｐ個の送信機ユニット２２２は、Ｎａｐ個のアンテナ２２４からユーザ端末へと送信するための、Ｎａｐ個の下りリンク信号を提供する。
【００５５】
各ユーザ端末１２０において、Ｎｕｔ，ｍ個のアンテナ２５２が、アクセス・ポイント１１０から、Ｎａｐ個の下りリンク信号を受信する。各受信機ユニット２５４は、関連づけられたアンテナ２５２からの受信信号を処理し、受信シンボル・ストリームを提供する。ＲＸ空間プロセッサ２６０が、Ｎｕｔ，ｍ個の受信機ユニット２５４からのＮｕｔ，ｍ個の受信シンボル・ストリームに受信機空間処理を実行し、そのユーザ端末のための復元された下りリンク・データ・シンボル・ストリームを提供する。受信機空間処理は、ＣＣＭＩ、ＭＭＳＥ、または他の何らかの技術にしたがって実行される。ＲＸデータ・プロセッサ２７０が、復元された下りリンク・データ・シンボル・ストリームを処理（たとえば、復調、デインターリーブ、復号）し、そのユーザ端末のための復号されたデータが得られる。
【００５６】
各ユーザ端末１２０において、チャネル推定器２７８が、下りリンク・チャネル応答を推定し、チャネル利得推定値、ＳＮＲ推定値、雑音分散等を含み得る、下りリンク・チャネル推定値を提供する。同様に、チャネル推定器２２８が、上りリンク・チャネル応答を推定し、上りリンク・チャネル推定値を提供する。各ユーザ端末のための制御装置２８０は、通常、ユーザ端末のための空間フィルタ・マトリクスを、そのユーザ端末のための下りリンク・チャネル応答マトリクスＨｄｎ，ｍに基づいて導出する。制御装置２３０は、アクセス・ポイントのための空間フィルタ・マトリクスを、実効上りリンク・チャネル応答マトリクスＨｕｐ，ｅｆｆに基づいて導出する。各ユーザ端末のための制御装置２８０は、フィードバック情報（たとえば、下りリンクおよび／または上りリンク固有ベクトル、固有値、ＳＮＲ推定値、等）をアクセス・ポイントに送信することができる。制御装置２３０および２８０はまた、それぞれ、アクセス・ポイント１１０およびユーザ端末１２０において、さまざまな処理ユニットの動作を制御する。
【００５７】
図３は、ＭＩＭＯシステム１００のような無線通信システム内で用いられ得る無線デバイス３０２において利用され得るさまざまなコンポーネントを示す。無線デバイス３０２は、本明細書において説明されるさまざまな方法を実現するように構成され得るデバイスの一例である。無線デバイス３０２は、アクセス・ポイント１１０またはユーザ端末１２０であり得る。
【００５８】
無線デバイス３０２は、無線デバイス３０２の動作を制御するプロセッサ３０４を含み得る。プロセッサ３０４はまた、中央処理ユニット（ＣＰＵ）とも呼ばれ得る。読取専用メモリ（ＲＯＭ）とランダム・アクセス・メモリ（ＲＡＭ）の両方を含み得るメモリ３０６は、プロセッサ３０４に命令およびデータを提供する。メモリ３０６の一部にはまた、不揮発性ランダム・アクセス・メモリ（ＮＶＲＡＭ）が含まれ得る。プロセッサ３０４は、通常、メモリ３０６内に記憶されたプログラム命令に基づいて、論理および演算操作を実行する。メモリ３０６内の命令は、本明細書において説明される方法を実現するように実行可能であり得る。
【００５９】
無線デバイス３０２はまた、ハウジング３０８を含むことができ、このハウジングは、無線デバイス３０２とリモート・ロケーションとの間でのデータの送受信を可能にする、送信機３１０および受信機３１２を含み得る。送信機３１０および受信機３１２は、トランシーバ３１４に統合されることができる。単一のまたは複数の送信アンテナ３１６が、ハウジング３０８に取り付けられることができ、トランシーバ３１４に電気的に結合されることができる。無線デバイス３０２はまた、（図示されていない）複数の送信機と、複数の受信機と、複数のトランシーバとを含むことができる。
【００６０】
無線デバイス３０２はまた、トランシーバ３１４によって受信された信号のレベルを検出し、定量化しようとするのに使用され得る信号検出器３１８を含むことができる。信号検出器３１８は、総エネルギー、シンボルあたりのサブキャリアごとのエネルギー、電力スペクトル密度、および他の信号、といった信号を検出することができる。無線デバイス３０２はまた、信号を処理する際に使用するためのデジタル・シグナル・プロセッサ（ＤＳＰ）３２０を含むことができる。
【００６１】
無線デバイス３０２のさまざまなコンポーネントは、データ・バスに加えて、電力バス、制御信号バス、ステータス信号バスを含み得るバス・システム３２２によって、ともに結合されることができる。
【００６２】
図１のＭＩＭＯシステム１００のような次世代ＷＬＡＮでは、下りリンク（ＤＬ）マルチユーザ（ＭＵ）ＭＩＭＯ伝送は、全ネットワーク・スループットを増大させるための有望な技術の代表であり得る。
【００６３】
ＭＵ−ＭＩＭＯのための例示的なＣＳＩフィードバック・プロトコル
チャネル状態情報（ＣＳＩ）フィードバックは、ＤＬ ＭＵ−ＭＩＭＯには不可欠である。ＡＰが複数の局（ＳＴＡ）からＣＳＩフィードバックを得るために、アクセス・ポイントが、ヌル・データ・パケット（ＮＤＰ）のようなトレーニング・フレームと、その後に続く、トレーニング・フレームから推定されたチャネル状態を送信するようにとの、複数の局に対する要求（たとえば、ＣＳＩポーリング（CSI polls））とを送信する。
【００６４】
図４に示されているように、ＡＰは、はじめに、トレーニング・フレームとしてＮＤＰ４００を送信することができる。ＡＰは、次いで、ＣＳＩフィードバックを要求するために各ＳＴＡにＣＳＩポーリング４０２を送信することができる。第１のＣＳＩポーリング４０２は、ＮＤＰ４００の後にショート・インターフレーム・スペース（ＳＩＦＳ）４０４をあけて送信されることができる。たとえば、ＣＳＩポーリングは、ＣＳＩ／ステアリング・サブフィールドにおいて１の値を有するハイ・スループット（ＨＴ）制御フィールドを有するサービス品質（Ｑｏｓ）−ヌル・フレームであることができる。
【００６５】
ＮＤＰ４００を受信したＳＴＡは、チャネル状態を推定し、記憶することができる。ＳＴＡがＣＳＩポーリング４０２を受信した後、ＳＴＡは、記憶されたチャネル状態のＣＳＩフィードバック４０６を、ＳＴＡが対応するＣＳＩポーリング４０２を受信した後にＳＩＦＳ４０４をあけて送信することができる。
【００６６】
図５は、本開示のある特定の態様に係る、ＭＵ−ＭＩＭＯのための例示的なシーケンシャルＣＳＩフィードバック・プロトコル・シーケンスを示す。シーケンシャルＣＳＩフィードバック・プロトコル・シーケンスは、各ＳＴＡのためのＣＳＩポーリング４０２ではなく、複数のＳＴＡを対象としたＣＳＩポーリング（すなわち、マルチＳＴＡ ＣＳＩポーリング５００）を送信することを含む。マルチＳＴＡ ＣＳＩポーリング５００を使用すると、すべてのＳＴＡのためのすべてのＣＳＩポーリング情報が、単一の管理フレームに収まることができる。ある特定の態様では、応答の順序は、マルチＳＴＡ ＣＳＩポーリング５００に事実上含まれ得る。
【００６７】
トレーニング・メッセージは、１つまたは複数の信号フィールドを含み得る。ある特定の態様では、信号フィールドのうちの１つは、ＡＰ識別子を含むことができ、ＡＰ識別子は、ネットワーク・アソシエーションにおいて定義されることができる。トレーニング・メッセージ内のＡＰ識別子により、ＳＴＡは、重複する基本サービス・セット（ＯＢＳＳ）ＡＰからＮＤＰを無視することができる。
【００６８】
他の態様では、トレーニング・メッセージにおける信号フィールド・ビットは、ランダム／シーケンス・ナンバーに設定されることができる。ある特定の態様では、ＣＳＩポーリング４０２もまた、このランダム／シーケンス・ナンバーを搬送することができる。このようにして、ＡＰは、ＣＳＩフィードバック４０６が要求されるＮＤＰ４００に、タグをつけることができる。これは、「古い」ＮＤＰ、またはＳＴＡがＯＢＳＳから受信したＮＤＰのために、ＳＴＡがＣＳＩフィードバックを送信することを防ぐことができる。
【００６９】
ある特定の態様では、トレーニング・メッセージにおける信号フィールド・ビットのうちのいくつかは、グループ識別子（ＩＤ）に設定されることができる。グループ内にないＳＴＡは、トレーニング・メッセージを無視することができる。このようにして、チャネル推定／処理のためのＳＴＡ電力が節約される。
【００７０】
例示的なトレーニング・フレーム
ある特定の態様では、「グループ」（上記を参照）によってシグナリングされたグループの中の各ＳＴＡがＣＳＩを計算することになっているか否かを示すために、１つまたは複数のビットが使用されることができる。そのようなビットを使用することは、ＳＴＡによるさらなる電力の節約を可能にし得る。グループ識別子が単一ユーザ送信を示す場合には、局（ＳＴＡ）識別子（ＩＤ）として、さらなる８ビットが使用されることができ、それにより、他のＳＴＡは、トレーニング・フレームを無視することが可能となり得る。グループ識別子のみでは、どのＳＴＡが意図された受信先であるかが識別されない。
【００７１】
図６は、本開示のある特定の態様に係る、たとえば、チャネルの少なくとも１つの特性を決定しようとしてトレーニング・フレームを送信するために、アクセス・ポイント（ＡＰ）において実行され得る例示的な動作６００を示す。動作６００は、６０２において、１つまたは複数の装置のグループを識別する第１の情報と、グループ内の装置の各々がチャネルの少なくとも１つの特性を決定すべきかどうかを示す第２の情報とを有するトレーニング・フレームを生成することから開始され得る。チャネルの少なくとも１つの特性は、ＣＳＩを備え得る。６０４において、生成されたフレームが送信され得る。
【００７２】
ある特定の態様では、トレーニング・フレームはＮＤＰを備えることができる。第１の情報は、ＮＤＰの信号フィールド・ビットを使用したグループ識別子を備え得る。グループ識別子は、単一ユーザ送信を示すことができ、第２の情報は、ＮＤＰの８ビットを使用したＳＴＡ ＩＤを備え得る。ある特定の態様では、トレーニング・フレームは、生成されたフレームを送信している装置の識別子（ＩＤ）を備え得る。トレーニング・フレームは、ある特定の態様ではシーケンス・ナンバーを備え得る。
【００７３】
図７は、本開示のある特定の態様に係る、トレーニング・フレームにおいて受信された情報に基づいてチャネルの少なくとも１つの特性を決定すべきかどうかを決めるために、局（ＳＴＡ）において実行され得る例示的な動作７００を示す。動作７００は、７０２において、１つまたは複数の装置のグループを識別する第１の情報と、そのグループにおける装置の各々がチャネルの少なくとも１つの特性を決定すべきかどうかを示す第２の情報とを有するトレーニング・フレームを、装置（たとえば、ＳＴＡ）において受信することから開始され得る。チャネルの少なくとも１つの特性は、ＣＳＩを備え得る。７０４において、装置は、第１の情報にしたがって、その装置が装置のグループ内にあるかどうかを決定することができる。その装置が装置のグループ内にある場合、７０６において、装置は、第２の情報に基づいてチャネルの少なくとも１つの特性を決定すべきかどうかを決めることができる。
【００７４】
ある特定の態様では、トレーニング・フレームはＮＤＰを備え得る。第１の情報は、ＮＤＰの信号フィールド・ビットを使用したグループ識別子を備え得る。グループ識別子は、単一ユーザ送信を示すことができ、第２の情報は、ＮＤＰの８ビットを使用した、装置についてのＳＴＡ ＩＤを備え得る。ある特定の態様では、トレーニング・フレームは、トレーニング・フレームを送信した装置のＩＤを備え得る。トレーニング・フレームは、ある特定の態様ではシーケンス・ナンバーを備え得る。
【００７５】
例示的なＣＳＩポーリング・メッセージ
ある特定の態様では、ＣＳＩポーリング４０２は、ポーリングに対する応答として送られた以前のフレームに関する肯定応答（ＡＣＫ）インジケーションを含み得る。ＡＣＫは、たとえば、シングル・ビットを備え得る。ＡＣＫを使用すると、ＳＴＡは、新たなＣＳＩを送信すべきか否かを決めることが可能となり得る。さらに、ＡＣＫは、ＳＴＡレート適応を可能にし得る。
【００７６】
ある特定の態様では、ＣＳＩポーリング４０２は、ＡＰにおいて記憶されたＣＳＩのシーケンス・ナンバー（たとえば、後述するように、ＳＴＡからの以前のＣＳＩパケットとともに送られたシーケンス・ナンバー）を表す、追加的なシーケンス・ナンバーを含み得る。
【００７７】
図８は、本開示のある特定の態様に係る、フレーム・アグリゲーションを使用してパケットを送信することによって要求に応答するためにＳＴＡにおいて実行され得る例示的な動作８００を示す。動作８００は、８０２において、装置（たとえば、ＳＴＡ）において要求を受信することから開始され得る。８０４において、装置は、受信された要求に応答して、フレーム・アグリゲーションを使用してパケットを送信することができ、ここで、２つ以上のフレームが、単一のヘッダーを使用して単一の送信において送信される。この要求は、ＣＳＩなど、チャネルの少なくとも１つの特性を示すパケットを送信するようにとの要求を備え得る。ある特定の態様では、パケットは、アグリゲートされた媒体アクセス制御（ＭＡＣ）プロトコル・データ・ユニット（Ａ−ＭＰＤＵ）を備えることができる。Ａ−ＭＰＤＵは、チャネルの少なくとも１つの特性を表し得る。
【００７８】
ある特定の態様では、パケットは、要求に応答してチャネルの少なくとも１つの特性を提供することなく要求が受信されたことを示すデータを備えることができる。パケットはまた、肯定応答（ＡＣＫ）メッセージを備え得る。ある特定の態様では、パケットは、要求が受信されたことと、チャネルの少なくとも１つの特性についてのデータが後続の送信において提供され得ることとを示すデータを備えることができる。
【００７９】
他の態様では、パケットは、チャネルの少なくとも１つの特性を表す（符号化されたものであり得る）データを備えることができる。このデータは、複数のＡ−ＭＰＤＵからチャネルの少なくとも１つの特性を再構成するためのデータを備え得る。
【００８０】
ある特定の態様では、パケットは、チャネルの少なくとも１つの特性を決定するために使用される受信トレーニング・フレームに含まれる、または、装置によって生成される、シーケンス・ナンバーを備えることができる。パケットは、ある特定の態様では、送信および受信アンテナ・インデクスについてのデータを備えることができる。
【００８１】
図９は、本開示のある特定の態様に係る、送信された要求に応答して、フレーム・アグリゲーションを用いたパケットを受信するために、ＡＰまたは他の装置において実行され得る例示的な動作９００を示す。動作９００は、９０２において、チャネルの少なくとも１つの特性（たとえば、ＣＳＩ）を送信するようにとの要求、といった要求を送信することから開始され得る。９０４において、装置は、送信された要求に応答して、フレーム・アグリゲーションを用いたパケットを受信することができ、ここで、２つ以上のフレームは、単一のヘッダーを使用して単一の送信において送信されたものである。
【００８２】
ある特定の態様では、パケットはＡ−ＭＰＤＵを備えることができる。Ａ−ＭＰＤＵは、チャネルの少なくとも１つの特性を表し得る。
【００８３】
ある特定の態様では、パケットは、チャネルの少なくとも１つの特性が提供されないことを示すデータを備えることができる。パケットはまた、ＡＣＫメッセージを備え得る。ある特定の態様では、パケットは、チャネルの少なくとも１つの特性が後続の送信において提供され得ることを示すデータを備えることができる。
【００８４】
他の態様では、パケットは、チャネルの少なくとも１つの特性を表す（符号化されたものであり得る）データを備えることができる。このデータは、複数のＡ−ＭＰＤＵからチャネルの少なくとも１つの特性を再構成するためのデータを備え得る。パケットは、ある特定の態様では、送信および受信アンテナ・インデクスについてのデータを備えることができる。
【００８５】
例示的なＣＳＩフィードバック・メッセージ
ある特定の態様では、ＣＳＩフィードバック４０６は、フレーム・アグリゲーションを使用して送信され得る。たとえば、ＣＳＩデータは、（たとえば、ＩＥＥＥ８０２．１１ｎにしたがって）Ａ−ＭＰＤＵを使用することにより送信され得る。Ａ−ＭＰＤＵは、ある特定の態様では、ＡＣＫでない方式とともに使用され得る。
【００８６】
ある特定の態様では、ＣＳＩフィードバック４０６は、さまざまなインジケーションを含み得る。たとえば、ＣＳＩフィードバック４０６は、ＣＳＩポーリング４０２は受信されたが、ＣＳＩフィードバック４０６においてＣＳＩは送信されないことを示す、「新たなＣＳＩなし」という（たとえば、１ビットを備える）フィールドを含むことができる。あるいは、このケースを示すために、ノーマルなＡＣＫが送信されることもできる。
【００８７】
他の態様では、またあるときには、ＣＳＩフィードバック４０６は、ＳＴＡはＣＳＩポーリング４０２を受信したが、後にＣＳＩを伴って応答することを示す、（たとえば、１ビットを備える）遅延ＣＳＩフィールドを含み得る。
【００８８】
ＣＳＩデータは、ＣＳＩフィードバック４０６において送信されるときに符号化されたものであり得る。ある特定の態様では、ＣＳＩデータの符号化特性（たとえば、圧縮、量子化、差分（differential）、等）が、ＣＳＩフィードバック４０６に含まれることができる。
【００８９】
ある特定の態様では、ＣＳＩフィードバック４０６は、複数のＭＰＤＵからＣＳＩをリアセンブリするための情報を含み得る。ＣＳＩは、より小さなチャンク（たとえば、ＴＸ−ＲＸアンテナ・ペアあたり１つのＭＰＤＵ）に分割されることができる。このケースでは、完全なＣＳＩを再構成するために、ある特定の情報（たとえば、送信および受信アンテナ・インデクスについてのデータ）が使用されることができる。
【００９０】
ＣＳＩフィードバック４０６は、シーケンス・ナンバーを含み得る。ある特定の態様では、シーケンス・ナンバーは、ＮＤＰ４００からのシーケンス・ナンバーと同一であり得る。他の態様では、ＣＳＩフィードバック４０６に含まれるシーケンス・ナンバーは、ＳＴＡによって生成された新たなシーケンス・ナンバーであり得る。
【００９１】
図１０は、本開示のある特定の態様に係る、たとえば、以前に送信された要求において受信されたパケットの肯定応答（ＡＣＫ）を伴った、チャネルの少なくとも１つの特性を送信するようにとの要求を送信するために、ＡＰにおいて実行され得る例示的な動作１０００を示す。動作１０００は、１００２において、装置に対し、チャネルの少なくとも１つの特性を送信するようにとの第１の要求を送信することから開始され得る。ある特定の態様において、この装置は、ＳＴＡを備えることができる。１００４において、送信された第１の要求に応答して、装置からパケットが受信されることができる。１００６において、チャネルの少なくとも１つの特性を送信するようにとの第２の要求が送信されることができる。この第２の要求は、パケットが受信されたことを示すＡＣＫを備え得る。
【００９２】
ある特定の態様では、チャネルの少なくとも１つの特性は、ＣＳＩを備えることができる。このケースでは、第１および第２の要求は、ＣＳＩポーリング・メッセージを備え得る。パケットは、チャネルの少なくとも１つの特性についてのデータを備え得る。
【００９３】
ある特定の態様では、パケットは、装置によって生成され得るシーケンス・ナンバーを備えることができる。このケースでは、第２の要求もまた、シーケンス・ナンバーを備えることができる。ある特定の態様では、１００２において、第１の要求が送信される前に、トレーニング・フレームが送信されることができる。トレーニング・フレームは、シーケンス・ナンバーを備え得る。
【００９４】
ある特定の態様では、送信された第２の要求に応答して、別のパケット（すなわち、第２のパケット）が装置から受信されることができる。この別のパケットは、チャネルの少なくとも１つの特性についての更新されたデータを備え得る。
【００９５】
図１１は、本開示のある特定の態様に係る、以前に受信された要求において送信されたパケットのＡＣＫを伴った、チャネルの少なくとも１つの特性を送信するようにとの要求を受信するために、ＳＴＡにおいて実行され得る例示的な動作１１００を示す。動作１１００は、１１０２において、チャネルの少なくとも１つの特性を送信するようにとの第１の要求を受信することから開始され得る。１１０４において、受信された第１の要求に応答してパケットが送信され得る。１１０６において、チャネルの少なくとも１つの特性を送信するようにとの第２の要求が受信され得る。この第２の要求は、パケットがＡＰのような装置によって受信されたことを示すＡＣＫを備え得る。
【００９６】
ある特定の態様では、チャネルの少なくとも１つの特性は、ＣＳＩを備えることができる。このケースでは、第１および第２の要求は、ＣＳＩポーリング・メッセージを備え得る。パケットは、チャネルの少なくとも１つの特性についてのデータを備え得る。
【００９７】
ある特定の態様では、パケットは、ＳＴＡによって生成され得るシーケンス・ナンバーを備えることができる。このケースでは、第２の要求もまた、シーケンス・ナンバーを備え得る。ある特定の態様では、１１０２において、第１の要求が受信される前に、トレーニング・フレームが受信され得る。トレーニング・フレームは、シーケンス・ナンバーを備え得る。チャネルの少なくとも１つの特性は、トレーニング・フレームに基づいて決定されることができる。
【００９８】
ある特定の態様では、チャネルの少なくとも１つの特性は、１１０４において、第１の要求に応答してパケットを送信した後に更新され得る。第２の要求に応答して、別のパケット（すなわち、第２のパケット）が送信され得る。この別のパケットは、チャネルの更新された少なくとも１つの特性についてのデータを備え得る。
【００９９】
前述された方法のさまざまな動作は、対応する機能を実行可能な任意の適切な手段によって実行され得る。それらの手段は、回路、特定用途向け集積回路（ＡＳＩＣ）、またはプロセッサを含むが、これらに限定されない、さまざまなハードウェアおよび／またはソフトウェアのコンポーネント（１つまたは複数）および／またはモジュール（１つまたは複数）を含み得る。一般的に、動作が図面に示されている場合、それらの動作は、同様の参照番号が付された、対応するカウンターパートのミーンズ・プラス・ファンクション・コンポーネントを有し得る。たとえば、図６に示した動作６００は、図６Ａに示した手段６００Ａに対応する。
【０１００】
たとえば、送信するための手段は、図２に示した、アクセス・ポイント１１０の送信機（たとえば、送信機ユニット２２２）および／またはアンテナ２２４、またはユーザ端末１２０の送信機ユニット２５４および／またはアンテナ２５２を備えることができる。受信するための手段は、図２に示した、ユーザ端末１２０の受信機（たとえば、受信機ユニット２５４）および／またはアンテナ２５２、またはアクセス・ポイント１１０の受信機ユニット２２２および／またはアンテナ２２４を備えることができる。処理するための手段、決定するための手段、決めるための手段、生成するための手段、または更新するための手段は、処理システムを備えることができ、該処理システムは、図２に示した、ユーザ端末１２０のＲＸデータ・プロセッサ２７０、ＴＸデータ・プロセッサ２８８、および／または制御装置２８０、または、アクセス・ポイント１１０のＲＸデータ・プロセッサ２４２、ＴＸデータ・プロセッサ２１０、および／または制御装置２３０といった、１つまたは複数のプロセッサを含み得る。
【０１０１】
本明細書において使用される場合、「決定すること」という用語は、多種多様な動作を含む。たとえば、「決定すること」は、計算すること、コンピュータで計算すること、処理すること、導出すること、調査すること、ルックアップすること（たとえば、テーブル、データベース、または別のデータ構造をルックアップすること）、確認すること、等を含み得る。また、「決定すること」は、受信すること（たとえば、情報を受信すること）、アクセスすること（たとえば、メモリ内のデータにアクセスすること）、等を含み得る。また、「決定すること」は、解決すること、選択すること、選ぶこと、確立すること、等を含むことができる。
【０１０２】
本明細書において使用される場合、項目のリスト「のうちの少なくとも１つ」という表現は、単一の要素を含めた、それらの項目の任意の組み合わせを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを含むことが意図されている。
【０１０３】
本開示に関連して説明された、さまざまな例示的な論理ブロック、モジュール、および回路は、本明細書において説明された機能を実行するように設計された、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）または他のプログラマブル論理デバイス（ＰＬＤ）、ディスクリート・ゲートまたはトランジスタ論理、ディスクリート・ハードウェア・コンポーネント、またはそれらの任意の組み合わせを用いて、実現または実施されることができる。汎用プロセッサは、マイクロプロセッサであることができるが、その代わりに、プロセッサは、市販の任意のプロセッサ、コントローラ、マイクロコントローラ、またはステートマシンであることもできる。プロセッサはまた、コンピューティング・デバイスの組み合わせ、たとえば、ＤＳＰとマイクロプロセッサの組合せ、複数のマイクロプロセッサ、ＤＳＰコアと結合された１つまたは複数のマイクロプロセッサ、または任意の他のそのような構成として、実現されることもできる。
【０１０４】
本開示に関連して説明された方法またはアルゴリズムの諸ステップは、ハードウェアにおいて直接的に、またはプロセッサによって実行されるソフトウェア・モジュールにおいて、または両者の組み合わせで、有形に実施されることができる。ソフトウェア・モジュールは、当該技術で知られている任意の形態の記憶媒体中に存在することができる。使用され得る記憶媒体のいくつかの例には、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭ、等が含まれる。ソフトウェア・モジュールは、単一の命令または多数の命令を備えることができ、いくつかの異なるコード・セグメントにわたって、異なるプログラム間で、および複数の記憶媒体にわたって、分散されることができる。記憶媒体は、プロセッサが記憶媒体から情報を読み取り、記憶媒体に情報を書き込むことができるように、プロセッサに結合されることができる。あるいは、記憶媒体は、プロセッサに組み込まれることができる。
【０１０５】
本明細書に開示された方法は、説明された方法を達成するための１つまたは複数のステップまたは動作を備える。方法のステップおよび／または動作は、本願の特許請求の範囲から逸脱せずに、互いに置き換えられ得る。すなわち、ステップまたは動作の特定の順序が指定されない限り、特定のステップおよび／または動作の順序および／または使用は、本願の特許請求の範囲から逸脱せずに変更されることができる。
【０１０６】
説明された機能は、ハードウェア、ソフトウェア、ファームウェア、またはそれらの任意の組み合わせにおいて実装されることができる。ハードウェアにおいて実装される場合、例示的なハードウェア構成は、無線ノードにおける処理システムを備え得る。処理システムは、バス・アーキテクチャを用いて実現され得る。バスは、処理システムの特定の用途と全体的な設計の制約に応じて、任意の数の相互接続バスおよびブリッジを含むことができる。バスは、プロセッサ、機械読取可能な媒体、およびバス・インターフェースを含む、さまざまな回路をともにリンクさせることができる。バス・インターフェースは、特に、ネットワーク・アダプタを、バスを介して処理システムに接続するために使用されることができる。ネットワーク・アダプタは、ＰＨＹレイヤの信号処理機能を実現するために使用されることができる。ユーザ端末１２０（図１を参照）の場合、ユーザ・インターフェース（たとえば、キーパッド、ディスプレイ、マウス、ジョイスティック、等）もまた、バスに接続されることができる。バスはまた、タイミング・ソース、周辺機器、電圧レギュレータ、電力管理回路、等といったさまざまな他の回路をリンクさせることができるが、これらは、当該技術においてよく知られているので、これ以上説明しない。
【０１０７】
プロセッサは、バスの管理と、機械読取可能な媒体に記憶されたソフトウェアの実行を含む一般的な処理と、を担うことができる。プロセッサは、１つまたは複数の汎用および／または専用プロセッサを用いて実現されることができる。その例としては、マイクロプロセッサ、マイクロコントローラ、ＤＳＰプロセッサ、およびソフトウェアを実行できる他の回路が挙げられる。ソフトウェアは、ソフトウェア、ファームウェア、ミドルウェア、マイクロコード、ハードウェア記述言語と呼ばれる場合も、その他の名称で呼ばれる場合も、命令、データ、またはそれらの任意の組み合わせを意味するものとして広く解釈されるべきである。機械読取可能な媒体は、例として、ＲＡＭ（ランダム・アクセス・メモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（電気的に消去可能なプログラマブル読取専用メモリ）、レジスタ、磁気ディスク、光ディスク、ハード・ドライブ、または任意の他の適切な記憶媒体、またはそれらの任意の組み合わせを含み得る。機械読取可能な媒体は、コンピュータ・プログラム製品に組み込まれることができる。コンピュータ・プログラム製品は、パッケージ材料を備え得る。
【０１０８】
ハードウェア実装では、機械読取可能な媒体は、プロセッサとは別個の処理システムの一部であることができる。しかしながら、当業者には容易に理解されるように、機械読取可能な媒体、またはその任意の部分は、処理システムの外部にあることができる。例として、機械読取可能な媒体は、伝送回線、データによって変調された搬送波、および／または無線ノードとは別個のコンピュータ製品を含むことができるが、それらはすべて、バス・インターフェースを介してプロセッサによりアクセスされることができる。あるいは、またはさらに、機械読取可能な媒体、またはそのうちの任意の部分は、キャッシュおよび／または汎用レジスタ・ファイルが用いられる場合など、プロセッサ一体化されることができる。
【０１０９】
処理システムは、外部バス・アーキテクチャを通じて他のサポート回路とすべてが結合された、１つまたは複数のマイクロプロセッサがプロセッサの機能を提供し、外部メモリが機械読取可能な媒体の少なくとも一部を提供する、汎用処理システムとして構成されることができる。あるいは、処理システムは、単一のチップに組み込まれた、プロセッサと、バス・インターフェースと、ユーザ・インターフェース（アクセス端末の場合）と、サポート回路と、機械読取可能な媒体の少なくとも一部とを有するＡＳＩＣ（特定用途向け集積回路）を用いて、または、１つまたは複数のＦＰＧＡ（フィールド・プログラマブル・ゲート・アレイ）、ＰＬＤ（プログラマブル論理デバイス）、コントローラ、ステートマシン、ゲート論理、ディスクリート・ハードウェア・コンポーネント、または任意の他の適切な回路、または本開示全体を通して説明されたさまざまな機能を実行できる、回路の任意の組み合わせを用いて、実現されることもできる。当業者は、システム全体に課された特定の用途および全体的な設計の制約に応じて、処理システムに関し説明された機能をどのように実現することが最善かを認識するだろう。
【０１１０】
機械読取可能な媒体は、いくつかのソフトウェア・モジュールを備え得る。これらのソフトウェア・モジュールは、プロセッサによって実行されたときに、さまざまな機能を処理システムに実行させる命令を含む。これらのソフトウェア・モジュールは、送信モジュールと受信モジュールとを含むことができる。各ソフトウェア・モジュールは、単一の記憶デバイスに存在することも、複数の記憶デバイスにわたって分散することもできる。例として、ソフトウェア・モジュールは、トリガ・イベントが生じた場合にハード・ドライブからＲＡＭにロードされることができる。ソフトウェア・モジュールの実行中、プロセッサは、命令のうちのいくつかをキャッシュにロードして、アクセス・スピードを増大させることができる。そして、１つまたは複数のキャッシュ・ラインが、プロセッサによる実行のために汎用レジスタ・ファイルにロードされることができる。下記においてソフトウェア・モジュールの機能に言及するときには、そのような機能は、そのソフトウェア・モジュールから命令を実行するときにプロセッサによって実現されるということが理解されるであろう。
【０１１１】
ソフトウェアで実現される場合、機能は、コンピュータ読取可能な媒体において、１つまたは複数の命令またはコードとして、記憶または伝達されることができる。コンピュータ読取可能な媒体は、ある場所から別の場所へのコンピュータ・プログラムの移動を容易にする任意の媒体を含めた、通信媒体とコンピュータ記憶媒体との両方を含む。記憶媒体は、コンピュータによってアクセスされることができる入手可能な任意の媒体であることができる。限定ではなく例として、そのようなコンピュータ読取可能な媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令もしくはデータ構造の形態で所望のプログラムコードを搬送または記憶するために使用されることができ、コンピュータによってアクセスされることができる、任意の他の媒体を含むことができる。また、任意の接続は、コンピュータ読取可能な媒体と適切に称される。たとえば、ソフトウェアが、ウェブサイト、サーバ、または他のリモート・ソースから、同軸ケーブル、光ファイバーケーブル、ツイストペア、デジタル加入者回線（ＤＳＬ）、または赤外線（ＩＲ）、無線、およびマイクロ波のような無線技術を使用して伝送される場合、それら同軸ケーブル、光ファイバーケーブル、ツイストペア、ＤＳＬ、または赤外線、無線、およびマイクロ波のような無線技術は、媒体の定義に含まれる。ディスク（disk）およびディスク（disc）は、ここで使用される場合、コンパクト・ディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生するが、ディスク（disc）は、レーザーを用いて光学的にデータを再生する。したがって、いくつかの態様において、コンピュータ読取可能な媒体は、非一時的なコンピュータ読取可能な媒体（たとえば、有形的表現媒体）を備えることができる。さらに、他の態様では、コンピュータ読取可能な媒体は、一時的なコンピュータ読取可能な媒体（たとえば、信号）を備えることができる。上記したものの組み合わせもまた、コンピュータ読取可能な媒体の範囲内に含まれるべきである。
【０１１２】
したがって、ある特定の態様は、ここに提示された動作を実行するためのコンピュータ・プログラム製品を備え得る。たとえば、そのようなコンピュータ・プログラム製品は、記憶（および／またはコード化）された命令を有するコンピュータ読取可能な媒体を備えることができ、それらの命令は、ここに説明された動作を実行するために１つまたは複数のプロセッサによって実行可能である。ある特定の態様では、コンピュータ・プログラム製品は、パーケージ材料を含み得る。
【０１１３】
さらに、ここに説明された方法および技法を実行するためのモジュールおよび／または他の適切な手段が、適用可能にユーザ端末および／または基地局によって、ダウンロードされ得ること、および／または他の何らかの形で取得され得ることが理解されるべきである。たとえば、そのようなデバイスは、ここに説明された方法を実行するための手段の移動を容易にするためにサーバに結合されることができる。あるいは、ここに説明されたさまざまな方法は、記憶手段（たとえば、ＲＡＭ、ＲＯＭ、コンパクト・ディスク（ＣＤ）またはフロッピー・ディスクのような物理記憶媒体、等）を介して提供されることができるので、ユーザ端末および／または基地局は、記憶手段をデバイスに結合または提供して、さまざまな方法を得ることができる。さらに、ここに説明された方法および技法をデバイスに提供するための任意の他の適切な技法が利用されることができる。
【０１１４】
本願の特許請求の範囲が、以上で説明した精密な構成およびコンポーネントに限定されないことが理解されるべきである。さまざまな修正、変更、および変形が、本願の特許請求の範囲から逸脱せずに、上述された方法および装置の配置、動作、および細部に対してなされることができる。
以下に、本願の出願当初請求項に記載された発明を付記する。
［Ｃ１］
無線通信のための方法であって、
１つまたは複数の装置のグループを識別する第１の情報と、
前記グループにおける前記装置の各々がチャネルの少なくとも１つの特性を決定すべきかどうかを示す第２の情報と
を備えるトレーニング・フレームを生成することと、
前記生成されたトレーニング・フレームを送信することと
を備える方法。
［Ｃ２］
前記チャネルの少なくとも１つの特性は、チャネル状態情報（ＣＳＩ）を備える、上記Ｃ１に記載の方法。
［Ｃ３］
前記トレーニング・フレームは、ヌル・データ・パケット（ＮＤＰ）を備える、上記Ｃ１に記載の方法。
［Ｃ４］
前記第１の情報は、前記ＮＤＰの信号フィールド・ビットを使用したグループ識別子を備える、上記Ｃ３に記載の方法。
［Ｃ５］
前記グループ識別子は、単一ユーザ送信を示し、前記第２の情報は、前記ＮＤＰの８ビットを使用した局（ＳＴＡ）識別子（ＩＤ）を備える、上記Ｃ４に記載の方法。
［Ｃ６］
前記トレーニング・フレームは、前記生成されたトレーニング・フレームを送信する装置の識別子（ＩＤ）を備える、上記Ｃ１に記載の方法。
［Ｃ７］
前記トレーニング・フレームは、シーケンス・ナンバーを備える、上記Ｃ１に記載の方法。
［Ｃ８］
無線通信のための装置であって、
１つまたは複数の装置のグループを識別する第１の情報と、
前記グループにおける前記装置の各々がチャネルの少なくとも１つの特性を決定すべきかどうかを示す第２の情報と
を備えるトレーニング・フレームを生成するように構成された処理システムと、
前記生成されたトレーニング・フレームを送信するように構成された送信機と
を備える装置。
［Ｃ９］
前記チャネルの少なくとも１つの特性は、チャネル状態情報（ＣＳＩ）を備える、上記Ｃ８に記載の装置。
［Ｃ１０］
前記トレーニング・フレームは、ヌル・データ・パケット（ＮＤＰ）を備える、上記Ｃ８に記載の装置。
［Ｃ１１］
前記第１の情報は、前記ＮＤＰの信号フィールド・ビットを使用したグループ識別子を備える、上記Ｃ１０に記載の装置。
［Ｃ１２］
前記グループ識別子は、単一ユーザ送信を示し、前記第２の情報は、前記ＮＤＰの８ビットを使用した局（ＳＴＡ）識別子（ＩＤ）を備える、上記Ｃ１１に記載の装置。
［Ｃ１３］
前記トレーニング・フレームは、前記装置の識別子（ＩＤ）を備える、上記Ｃ８に記載の装置。
［Ｃ１４］
前記トレーニング・フレームは、シーケンス・ナンバーを備える、上記Ｃ８に記載の装置。
［Ｃ１５］
無線通信のための装置であって、
１つまたは複数の装置のグループを識別する第１の情報と、
前記グループにおける前記装置の各々がチャネルの少なくとも１つの特性を決定すべきかどうかを示す第２の情報と
を備えるトレーニング・フレームを生成するための手段と、
前記生成されたトレーニング・フレームを送信するための手段と
を備える装置。
［Ｃ１６］
前記チャネルの少なくとも１つの特性は、チャネル状態情報（ＣＳＩ）を備える、上記Ｃ１５に記載の装置。
［Ｃ１７］
前記トレーニング・フレームは、ヌル・データ・パケット（ＮＤＰ）を備える、上記Ｃ１５に記載の装置。
［Ｃ１８］
前記第１の情報は、前記ＮＤＰの信号フィールド・ビットを使用したグループ識別子を備える、上記Ｃ１７に記載の装置。
［Ｃ１９］
前記グループ識別子は、単一ユーザ送信を示し、前記第２の情報は、前記ＮＤＰの８ビットを使用した局（ＳＴＡ）識別子（ＩＤ）を備える、上記Ｃ１８に記載の装置。
［Ｃ２０］
前記トレーニング・フレームは、前記装置の識別子（ＩＤ）を備える、上記Ｃ１５に記載の装置。
［Ｃ２１］
前記トレーニング・フレームは、シーケンス・ナンバーを備える、上記Ｃ１５に記載の装置。
［Ｃ２２］
コンピュータ読取可能な媒体を備える、無線通信のためのコンピュータ・プログラム製品であって、前記コンピュータ読取可能な媒体は、
１つまたは複数の装置のグループを識別する第１の情報と、
前記グループにおける前記装置の各々がチャネルの少なくとも１つの特性を決定すべきかどうかを示す第２の情報と
を備えるトレーニング・フレームを生成し、
前記生成されたトレーニング・フレームを送信する
ように実行可能な命令を備える、コンピュータ・プログラム製品。
［Ｃ２３］
アクセス・ポイントであって、
少なくとも１つのアンテナと、
１つまたは複数の装置のグループを識別する第１の情報と、
前記グループにおける前記装置の各々がチャネルの少なくとも１つの特性を決定すべきかどうかを示す第２の情報と
を備えるトレーニング・フレームを生成するように構成された処理システムと、
前記生成されたトレーニング・フレームを前記少なくとも１つのアンテナを介して送信するように構成された送信機と
を備えるアクセス・ポイント。
［Ｃ２４］
無線通信のための方法であって、
装置において要求を受信することと、
前記受信された要求に応答して、フレーム・アグリゲーションを使用してパケットを送信することと、ここで、２つ以上のフレームが、単一のヘッダーを使用して単一の送信において送信される、
を備える方法。
［Ｃ２５］
前記要求は、チャネルの少なくとも１つの特性を示す前記パケットを送信するようにとの要求を備える、上記Ｃ２４に記載の方法。
［Ｃ２６］
前記チャネルの少なくとも１つの特性は、チャネル状態情報（ＣＳＩ）を備える、上記Ｃ２５に記載の方法。
［Ｃ２７］
前記パケットを送信することは、アグリゲートされた媒体アクセス制御（ＭＡＣ）プロトコル・データ・ユニット（Ａ−ＭＰＤＵ）を使用して前記パケットを送信することを備え、前記Ａ−ＭＰＤＵは、前記チャネルの少なくとも１つの特性を表す、上記Ｃ２５に記載の方法。
［Ｃ２８］
前記パケットは、前記要求に応答して前記チャネルの少なくとも１つの特性を提供することなく前記要求が受信されたことを示すデータを備える、上記Ｃ２５に記載の方法。
［Ｃ２９］
前記パケットは、肯定応答（ＡＣＫ）メッセージを備える、上記Ｃ２８に記載の方法。
［Ｃ３０］
前記パケットは、前記要求が受信されたことと、前記チャネルの少なくとも１つの特性についてのデータが後続の送信において提供されることとを示すデータを備える、上記Ｃ２５に記載の方法。
［Ｃ３１］
前記パケットは、前記チャネルの少なくとも１つの特性を表すデータを備える、上記Ｃ２５に記載の方法。
［Ｃ３２］
前記データは、アグリゲートされた複数の媒体アクセス制御（ＭＡＣ）プロトコル・データ・ユニット（Ａ−ＭＰＤＵ）から前記チャネルの少なくとも１つの特性を再構成するためのデータを備える、上記Ｃ３１に記載の方法。
［Ｃ３３］
前記パケットは、前記チャネルの少なくとも１つの特性を決定するために使用された受信トレーニング・フレームに含まれた、または前記装置によって生成された、シーケンス・ナンバーを備える、上記Ｃ２５に記載の方法。
［Ｃ３４］
前記パケットは、送信および受信アンテナ・インデクスについてのデータを備える、上記Ｃ２４に記載の方法。
［Ｃ３５］
無線通信のための装置であって、
要求を受信するように構成された受信機と、
前記受信された要求に応答して、フレーム・アグリゲーションを使用してパケットを送信するように構成された送信機と、ここで、２つ以上のフレームが、単一のヘッダーを使用して単一の送信において送信される、
を備える装置。
［Ｃ３６］
前記要求は、チャネルの少なくとも１つの特性を示す前記パケットを送信するようにとの要求を備える、上記Ｃ３５に記載の装置。
［Ｃ３７］
前記チャネルの少なくとも１つの特性は、チャネル状態情報（ＣＳＩ）を備える、上記Ｃ３６に記載の装置。
［Ｃ３８］
前記送信機は、アグリゲートされた媒体アクセス制御（ＭＡＣ）プロトコル・データ・ユニット（Ａ−ＭＰＤＵ）を使用して前記パケットを送信するように構成され、前記Ａ−ＭＰＤＵは、前記チャネルの少なくとも１つの特性を表す、上記Ｃ３６に記載の装置。
［Ｃ３９］
前記パケットは、前記要求に応答して前記チャネルの少なくとも１つの特性を提供することなく前記要求が受信されたことを示すデータを備える、上記Ｃ３６に記載の装置。
［Ｃ４０］
前記パケットは、肯定応答（ＡＣＫ）メッセージを備える、上記Ｃ３９に記載の装置。
［Ｃ４１］
前記パケットは、前記要求が受信されたことと、前記チャネルの少なくとも１つの特性についてのデータが後続の送信において提供されることとを示すデータを備える、上記Ｃ３６に記載の装置。
［Ｃ４２］
前記パケットは、前記チャネルの少なくとも１つの特性を表すデータを備える、上記Ｃ３６に記載の装置。
［Ｃ４３］
前記データは、アグリゲートされた複数の媒体アクセス制御（ＭＡＣ）プロトコル・データ・ユニット（Ａ−ＭＰＤＵ）から前記チャネルの少なくとも１つの特性を再構成するためのデータを備える、上記Ｃ４２に記載の装置。
［Ｃ４４］
前記パケットは、前記チャネルの少なくとも１つの特性を決定するために使用された受信トレーニング・フレームに含まれた、または前記装置によって生成された、シーケンス・ナンバーを備える、上記Ｃ３６に記載の装置。
［Ｃ４５］
前記パケットは、送信および受信アンテナ・インデクスについてのデータを備える、上記Ｃ３５に記載の装置。
［Ｃ４６］
無線通信のための装置であって、
要求を受信するための手段と、
前記受信された要求に応答して、フレーム・アグリゲーションを使用してパケットを送信するための手段と、ここで、２つ以上のフレームが、単一のヘッダーを使用して単一の送信において送信される、
を備える装置。
［Ｃ４７］
前記要求は、チャネルの少なくとも１つの特性を示す前記パケットを送信するようにとの要求を備える、上記Ｃ４６に記載の装置。 
［Ｃ４８］
前記チャネルの少なくとも１つの特性は、チャネル状態情報（ＣＳＩ）を備える、上記Ｃ４７に記載の装置。
［Ｃ４９］
前記パケットを送信するための手段は、アグリゲートされた媒体アクセス制御（ＭＡＣ）プロトコル・データ・ユニット（Ａ−ＭＰＤＵ）を使用して前記パケットを送信するように構成され、前記Ａ−ＭＰＤＵは、前記チャネルの少なくとも１つの特性を表す、上記Ｃ４７に記載の装置。
［Ｃ５０］
前記パケットは、前記要求に応答して前記チャネルの少なくとも１つの特性を提供することなく前記要求が受信されたことを示すデータを備える、上記Ｃ４７に記載の装置。
［Ｃ５１］
前記パケットは、肯定応答（ＡＣＫ）メッセージを備える、上記Ｃ５０に記載の装置。
［Ｃ５２］
前記パケットは、前記要求が受信されたことと、前記チャネルの少なくとも１つの特性についてのデータが後続の送信において提供されることとを示すデータを備える、上記Ｃ４７に記載の装置。
［Ｃ５３］
前記パケットは、前記チャネルの少なくとも１つの特性を表すデータを備える、上記Ｃ４７に記載の装置。
［Ｃ５４］
前記データは、アグリゲートされた複数の媒体アクセス制御（ＭＡＣ）プロトコル・データ・ユニット（Ａ−ＭＰＤＵ）から前記チャネルの少なくとも１つの特性を再構成するためのデータを備える、上記Ｃ５３に記載の装置。
［Ｃ５５］
前記パケットは、前記チャネルの少なくとも１つの特性を決定するために使用された受信トレーニング・フレームに含まれた、または前記装置によって生成された、シーケンス・ナンバーを備える、上記Ｃ４７に記載の装置。
［Ｃ５６］
前記パケットは、送信および受信アンテナ・インデクスについてのデータを備える、上記Ｃ４６に記載の装置。
［Ｃ５７］
コンピュータ読取可能な媒体を備える、無線通信のためのコンピュータ・プログラム製品であって、前記コンピュータ読取可能な媒体は、
装置において要求を受信し、
前記受信された要求に応答して、フレーム・アグリゲーションを使用してパケットを送信する、ここで、２つ以上のフレームが、単一のヘッダーを使用して単一の送信において送信される、
ように実行可能な命令を備える、コンピュータ・プログラム製品。
［Ｃ５８］
無線デバイスであって、
少なくとも１つのアンテナと、
前記少なくとも１つのアンテナを介して要求を受信するように構成された受信機と、
前記受信された要求に応答して、フレーム・アグリゲーションを使用してパケットを送信するように構成された送信機と、ここで、２つ以上のフレームが、単一のヘッダーを使用して単一の送信において送信される、
を備える無線デバイス。
［Ｃ５９］
無線通信のための方法であって、
装置に対し、チャネルの少なくとも１つの特性を送信するようにとの第１の要求を送信することと、
前記送信された第１の要求に応答して、前記装置からパケットを受信することと、
前記装置に対し、前記チャネルの少なくとも１つの特性を送信するようにとの第２の要求を送信することと
を備え、前記第２の要求は、前記パケットが受信されたことを示す肯定応答（ＡＣＫ）を備える、方法。
［Ｃ６０］
前記チャネルの少なくとも１つの特性は、チャネル状態情報（ＣＳＩ）を備える、上記Ｃ５９に記載の方法。
［Ｃ６１］
前記第１および第２の要求は、ＣＳＩポーリング・メッセージを備える、上記Ｃ６０に記載の方法。
［Ｃ６２］
前記パケットは、シーケンス・ナンバーを備え、前記第２の要求は、前記シーケンス・ナンバーを備える、上記Ｃ５９に記載の方法。
［Ｃ６３］
前記第１の要求を送信する前にトレーニング・フレームを送信することをさらに備え、前記トレーニング・フレームは、シーケンス・ナンバーを備え、前記パケットは、前記シーケンス・ナンバーを備える、上記Ｃ５９に記載の方法。
［Ｃ６４］
前記パケットは、シーケンス・ナンバーを備え、前記シーケンス・ナンバーは、前記装置によって生成される、上記Ｃ５９に記載の方法。
［Ｃ６５］
前記送信された第２の要求に応答して、前記装置から別のパケットを受信することをさらに備え、前記パケットは、前記チャネルの少なくとも１つの特性についてのデータを備え、前記別のパケットは、前記チャネルの少なくとも１つの特性についての更新されたデータを備える、上記Ｃ５９に記載の方法。
［Ｃ６６］
無線通信のための装置であって、
別の装置に対し、チャネルの少なくとも１つの特性を送信するようにとの第１の要求を送信するように構成された送信機と、
前記送信された第１の要求に応答して、前記別の装置からパケットを受信するように構成された受信機と
を備え、前記送信機は、前記別の装置に対し、前記チャネルの少なくとも１つの特性を送信するようにとの第２の要求を送信するように構成され、前記第２の要求は、前記パケットが受信されたことを示す肯定応答（ＡＣＫ）を備える、装置。
［Ｃ６７］
前記チャネルの少なくとも１つの特性は、チャネル状態情報（ＣＳＩ）を備える、上記Ｃ６６に記載の装置。
［Ｃ６８］
前記第１および第２の要求は、ＣＳＩポーリング・メッセージを備える、上記Ｃ６７に記載の装置。
［Ｃ６９］
前記パケットは、シーケンス・ナンバーを備え、前記第２の要求は、前記シーケンス・ナンバーを備える、上記Ｃ６６に記載の装置。
［Ｃ７０］
前記送信機は、前記第１の要求を送信する前にトレーニング・フレームを送信するように構成され、前記トレーニング・フレームは、シーケンス・ナンバーを備え、前記パケットは、前記シーケンス・ナンバーを備える、上記Ｃ６６に記載の装置。
［Ｃ７１］
前記パケットは、シーケンス・ナンバーを備え、前記シーケンス・ナンバーは、前記別の装置によって生成される、上記Ｃ６６に記載の装置。
［Ｃ７２］
前記パケットは、前記チャネルの少なくとも１つの特性についてのデータを備え、前記受信機は、前記送信された第２の要求に応答して、前記チャネルの少なくとも１つの特性についての更新されたデータを備える前記別の装置からの別のパケットを受信するように構成される、上記Ｃ６６に記載の装置。
［Ｃ７３］
無線通信のための装置であって、
別の装置に対し、チャネルの少なくとも１つの特性を送信するようにとの第１の要求を送信するための手段と、
前記送信された第１の要求に応答して、前記別の装置からパケットを受信するための手段と
を備え、前記送信するための手段は、前記別の装置に対し、前記チャネルの少なくとも１つの特性を送信するようにとの第２の要求を送信するように構成され、前記第２の要求は、前記パケットが受信されたことを示す肯定応答（ＡＣＫ）を備える、装置。
［Ｃ７４］
前記チャネルの少なくとも１つの特性は、チャネル状態情報（ＣＳＩ）を備える、上記Ｃ７３に記載の装置。
［Ｃ７５］
前記第１および第２の要求は、ＣＳＩポーリング・メッセージを備える、上記Ｃ７４に記載の装置。
［Ｃ７６］
前記パケットは、シーケンス・ナンバーを備え、前記第２の要求は、前記シーケンス・ナンバーを備える、上記Ｃ７３に記載の装置。
［Ｃ７７］
前記送信するための手段は、前記第１の要求を送信する前にトレーニング・フレームを送信するように構成され、前記トレーニング・フレームは、シーケンス・ナンバーを備え、前記パケットは、前記シーケンス・ナンバーを備える、上記Ｃ７３に記載の装置。
［Ｃ７８］
前記パケットは、シーケンス・ナンバーを備え、前記シーケンス・ナンバーは、前記別の装置によって生成される、上記Ｃ７３に記載の装置。
［Ｃ７９］
前記パケットは、前記チャネルの少なくとも１つの特性についてのデータを備え、前記受信するための手段は、前記送信された第２の要求に応答して、前記チャネルの少なくとも１つの特性についての更新されたデータを備える前記別の装置からの別のパケットを受信するように構成される、上記Ｃ７３に記載の装置。
［Ｃ８０］
コンピュータ読取可能な媒体を備える、無線通信のためのコンピュータ・プログラム製品であって、前記コンピュータ読取可能な媒体は、
装置に対し、チャネルの少なくとも１つの特性を送信するようにとの第１の要求を送信し、
前記送信された第１の要求に応答して、前記装置からパケットを受信し、
前記装置に対し、前記チャネルの少なくとも１つの特性を送信するようにとの第２の要求を送信する、ここで、前記第２の要求は、前記パケットが受信されたことを示す肯定応答（ＡＣＫ）を備える、
ように実行可能な命令を備える、コンピュータ・プログラム製品。
［Ｃ８１］
アクセス・ポイントであって、
少なくとも１つのアンテナと、
前記少なくとも１つのアンテナを介して、装置に対し、チャネルの少なくとも１つの特性を送信するようにとの第１の要求を送信するように構成された送信機と、
前記送信された第１の要求に応答して、前記装置からパケットを受信するように構成された受信機と
を備え、前記送信機は、前記装置に対し、前記チャネルの少なくとも１つの特性を送信するようにとの第２の要求を送信するように構成され、前記第２の要求は、前記パケットが受信されたことを示す肯定応答（ＡＣＫ）を備える、アクセス・ポイント。
［Ｃ８２］
無線通信のための方法であって、
チャネルの少なくとも１つの特性を送信するようにとの第１の要求を受信することと、
前記受信された第１の要求に応答してパケットを送信することと、
前記チャネルの少なくとも１つの特性を送信するようにとの第２の要求を受信することと
を備え、前記第２の要求は、前記パケットが装置によって受信されたことを示す肯定応答（ＡＣＫ）を備える、方法。
［Ｃ８３］
前記チャネルの少なくとも１つの特性は、チャネル状態情報（ＣＳＩ）を備える、上記Ｃ８２に記載の方法。
［Ｃ８４］
前記第１および第２の要求は、ＣＳＩポーリング・メッセージを備える、上記Ｃ８３に記載の方法。
［Ｃ８５］
前記パケットは、シーケンス・ナンバーを備え、前記第２の要求は、前記シーケンス・ナンバーを備える、上記Ｃ８２に記載の方法。
［Ｃ８６］
前記第１の要求を受信する前にトレーニング・フレームを受信することと、ここで、前記トレーニング・フレームは、シーケンス・ナンバーを備え、前記パケットは、前記シーケンス・ナンバーを備える、
前記トレーニング・フレームに基づいて前記チャネルの少なくとも１つの特性を決定することと
をさらに備える、上記Ｃ８２に記載の方法。
［Ｃ８７］
シーケンス・ナンバーを生成することをさらに備え、前記パケットは、前記シーケンス・ナンバーを備える、上記Ｃ８２に記載の方法。
［Ｃ８８］
前記第１の要求に応答して前記パケットを送信した後に前記チャネルの少なくとも１つの特性を更新することと、ここで、前記パケットは、前記チャネルの少なくとも１つの特性についてのデータを備える、
前記第２の要求に応答して、前記チャネルの更新された少なくとも１つの特性についてのデータを備える別のパケットを送信することと
をさらに備える、上記Ｃ８２に記載の方法。
［Ｃ８９］
無線通信のための装置であって、
チャネルの少なくとも１つの特性を送信するようにとの第１の要求を受信するように構成された受信機と、
前記受信された第１の要求に応答してパケットを送信するように構成された送信機と
を備え、前記受信機は、前記チャネルの少なくとも１つの特性を送信するようにとの第２の要求を受信するように構成され、前記第２の要求は、前記パケットが別の装置によって受信されたことを示す肯定応答（ＡＣＫ）を備える、装置。
［Ｃ９０］
前記チャネルの少なくとも１つの特性は、チャネル状態情報（ＣＳＩ）を備える、上記Ｃ８９に記載の装置。
［Ｃ９１］
前記第１および第２の要求は、ＣＳＩポーリング・メッセージを備える、上記Ｃ９０に記載の装置。
［Ｃ９２］
前記パケットは、シーケンス・ナンバーを備え、前記第２の要求は、前記シーケンス・ナンバーを備える、上記Ｃ８９に記載の装置。
［Ｃ９３］
処理システムをさらに備え、前記受信機は、前記第１の要求を受信する前にトレーニング・フレームを受信するように構成され、前記トレーニング・フレームは、シーケンス・ナンバーを備え、前記パケットは、前記シーケンス・ナンバーを備え、前記処理システムは、前記トレーニング・フレームに基づいて前記チャネルの少なくとも１つの特性を決定するように構成される、上記Ｃ８９に記載の装置。
［Ｃ９４］
シーケンス・ナンバーを生成するように構成された処理システムをさらに備え、前記パケットは、前記シーケンス・ナンバーを備える、上記Ｃ８９に記載の装置。
［Ｃ９５］
処理システムをさらに備え、前記パケットは、前記チャネルの少なくとも１つの特性についてのデータを備え、前記処理システムは、前記送信機が前記第１の要求に応答して前記パケットを送信した後に前記チャネルの少なくとも１つの特性を更新するように構成され、前記送信機は、前記第２の要求に応答して、前記チャネルの更新された少なくとも１つの特性についてのデータを備える別のパケットを送信するように構成される、上記Ｃ８９に記載の装置。
［Ｃ９６］
無線通信のための装置であって、
チャネルの少なくとも１つの特性を送信するようにとの第１の要求を受信するための手段と、
前記受信された第１の要求に応答してパケットを送信するための手段と
を備え、前記受信するための手段は、前記チャネルの少なくとも１つの特性を送信するようにとの第２の要求を受信するように構成され、前記第２の要求は、前記パケットが別の装置によって受信されたことを示す肯定応答（ＡＣＫ）を備える、装置。
［Ｃ９７］
前記チャネルの少なくとも１つの特性は、チャネル状態情報（ＣＳＩ）を備える、上記Ｃ９６に記載の装置。
［Ｃ９８］
前記第１および第２の要求は、ＣＳＩポーリング・メッセージを備える、上記Ｃ９７に記載の装置。
［Ｃ９９］
前記パケットは、シーケンス・ナンバーを備え、前記第２の要求は、前記シーケンス・ナンバーを備える、上記Ｃ９６に記載の装置。
［Ｃ１００］
前記チャネルの少なくとも１つの特性を決定するための手段をさらに備え、前記受信するための手段は、前記第１の要求を受信する前にトレーニング・フレームを受信するように構成され、前記トレーニング・フレームは、シーケンス・ナンバーを備え、前記パケットは、前記シーケンス・ナンバーを備え、前記決定するための手段は、前記トレーニング・フレームに基づいて前記チャネルの少なくとも１つの特性を決定するように構成される、上記Ｃ９６に記載の装置。
［Ｃ１０１］
シーケンス・ナンバーを生成するための手段をさらに備え、前記パケットは、前記シーケンス・ナンバーを備える、上記Ｃ９６に記載の装置。
［Ｃ１０２］
前記第１の要求に応答して前記パケットを送信した後に前記チャネルの少なくとも１つの特性を更新するための手段をさらに備え、前記パケットは、前記チャネルの少なくとも１つの特性についてのデータを備え、前記送信するための手段は、前記第２の要求に応答して、前記チャネルの更新された少なくとも１つの特性についてのデータを備える別のパケットを送信するように構成される、上記Ｃ９６に記載の装置。
［Ｃ１０３］
コンピュータ読取可能な媒体を備える、無線通信のためのコンピュータ・プログラム製品であって、前記コンピュータ読取可能な媒体は、
チャネルの少なくとも１つの特性を送信するようにとの第１の要求を受信し、
前記受信された第１の要求に応答してパケットを送信し、
前記チャネルの少なくとも１つの特性を送信するようにとの第２の要求を受信する、ここで、前記第２の要求は、前記パケットが装置によって受信されたことを示す肯定応答（ＡＣＫ）を備える、
ように実行可能な命令を備える、コンピュータ・プログラム製品。
［Ｃ１０４］
無線デバイスであって、
少なくとも１つのアンテナと、
前記少なくとも１つのアンテナを介して、チャネルの少なくとも１つの特性を送信するようにとの第１の要求を受信するように構成された受信機と、
前記受信された第１の要求に応答してパケットを送信するように構成された送信機と
を備え、前記受信機は、前記チャネルの少なくとも１つの特性を送信するようにとの第２の要求を受信するように構成され、前記第２の要求は、前記パケットが装置によって受信されたことを示す肯定応答（ＡＣＫ）を備える、無線デバイス。
【図１】
0005607248.tif 000002
【図２】
0005607248.tif 000003
【図３】
0005607248.tif 000004
【図４】
0005607248.tif 000005
【図５】
0005607248.tif 000006
【図６】
0005607248.tif 000007
【図６Ａ】
0005607248.tif 000008
【図７】
0005607248.tif 000009
【図７Ａ】
0005607248.tif 000010
【図８】
0005607248.tif 000011
【図８Ａ】
0005607248.tif 000012
【図９】
0005607248.tif 000013
【図９Ａ】
0005607248.tif 000014
【図１０】
0005607248.tif 000015
【図１０Ａ】
0005607248.tif 000016
【図１１】
0005607248.tif 000017
【図１１Ａ】
0005607248.tif 000018